(57)【要約】      （修正有）【課題】検者の能力や癖を評価して検査品質の担保・向上を図る眼科システムを提供する。【解決手段】眼科システムは、被評価者が使用する第１装置と評価者が使用する第２装置とを含む。この眼科システムは、格納手段と、第１制御手段と、第２制御手段と、入力情報送信手段とを含む。格納手段は、被評価者を評価するための試験に用いられる試験データを予め格納する。第１制御手段は、試験データに基づき第１装置を制御する。第２制御手段は、試験データに基づき第２装置を制御する。入力情報送信手段は、試験データに基づき第１装置が被評価者に提供した提供情報への応答として被評価者が第１装置に入力した入力情報を第２装置に送信する。第２制御手段は、入力情報に基づいて第２装置を制御する。【選択図】図１Ａ
2018158057.tif 000002
【特許請求の範囲】
【請求項１】
被評価者が使用する第１装置と評価者が使用する第２装置とを含む眼科システムであって、
前記被評価者を評価するための試験に用いられる試験データを予め格納する格納手段と、
前記試験データに基づき前記第１装置を制御する第１制御手段と、
前記試験データに基づき前記第２装置を制御する第２制御手段と、
前記試験データに基づき前記第１装置が前記被評価者に提供した提供情報への応答として前記被評価者が前記第１装置に入力した入力情報を前記第２装置に送信する入力情報送信手段と
を含み、
前記第２制御手段は、前記入力情報に基づいて前記第２装置を制御する
ことを特徴とする眼科システム。
【請求項２】
前記試験データと前記入力情報とに基づいて評価データを生成する評価データ生成手段を含む
ことを特徴とする請求項１に記載の眼科システム。
【請求項３】
前記第２装置は、
表示部と、
前記試験データ及び前記提供情報の少なくとも一方と前記入力情報とを前記表示部に表示させる表示制御部と、
操作部と
前記操作部を用いて前記評価者が入力した評価データを記録する評価データ記録部と
を含む
ことを特徴とする請求項１又は２に記載の眼科システム。
【請求項４】
記憶装置と、
予め設定された前記被評価者の識別情報に前記評価データを関連付けて前記記憶装置に格納する格納制御手段と
を含む
ことを特徴とする請求項２又は３に記載の眼科システム。
【請求項５】
前記格納制御手段は、前記識別情報に前記入力情報を関連付けて前記記憶装置に格納する
ことを特徴とする請求項４に記載の眼科システム。
【請求項６】
評価データの閲覧要求を受信する受信手段と、
前記閲覧要求に基づいて前記記憶装置から評価データを検索する検索手段と、
前記検索手段により取得された前記評価データを、前記閲覧要求の送信元に送信する評価データ送信手段と
を含む
ことを特徴とする請求項５に記載の眼科システム。
【請求項７】
前記第１装置は第１眼科検査装置を含み、
前記第１制御手段は、前記試験データに基づいて前記第１眼科検査装置を制御する
ことを特徴とする請求項１〜６のいずれかに記載の眼科システム。
【請求項８】
前記第２装置は第２眼科検査装置を含み、
前記第２制御手段は、前記試験データに基づいて前記第２眼科検査装置を制御する
ことを特徴とする請求項１〜７のいずれかに記載の眼科システム。
【請求項９】
前記第１装置は第１眼科検査装置を含み、
前記第１制御手段は、前記試験データに基づいて前記第１眼科検査装置を制御し、
前記第２装置は第２眼科検査装置を含み、
前記第２制御手段は、前記試験データに基づいて前記第２眼科検査装置を制御し、
前記第１制御手段による前記第１眼科検査装置の制御と前記第２制御手段による前記第２眼科検査装置の制御とを同期させる同期制御手段を含む
ことを特徴とする請求項１〜６のいずれかに記載の眼科システム。
【請求項１０】
眼科検査により取得された検査データに基づいて前記試験データを作成する試験データ作成手段を含む
ことを特徴とする請求項１〜９のいずれかに記載の眼科システム。
【発明の詳細な説明】
【技術分野】
【０００１】
本発明は、眼科分野において使用される眼科システムに関する。
【背景技術】
【０００２】
眼科検査装置は、医療機関、眼鏡店、健康診断や検診の会場、患者宅などにおいて、眼の検査（特性の測定、撮影等）に用いられる。眼科検査装置の典型的な例として以下が挙げられる。
・提示された視標に対する応答に基づき視力を測定する視力検査装置
・眼球の屈折特性を測定する眼屈折検査装置（レフラクトメータ、ケラトメータ）
・眼圧を測定するための眼圧計
・角膜の特性（角膜厚、細胞分布等）を得るためのスペキュラーマイクロスコープ
・ハルトマン−シャックセンサを用いて眼球の収差情報を得るウェーブフロントアナライザ
・視野障害を検出するための視野計やマイクロペリメータ
・光干渉を利用して眼底や前眼部の断面像や３次元データ、解析データを得るため光干渉断層計（ＯＣＴ）
・眼底を写真撮影するための眼底カメラ
・共焦点光学系を用いたレーザ走査により眼底の画像を得るための走査型レーザ検眼鏡（Ｓｃａｎｎｉｎｇ  Ｌａｓｅｒ  Ｏｐｈｔｈａｌｍｏｓｃｏｐｅ、ＳＬＯ）
・２以上の機能を組み合わせた複合機
【０００３】
多くの眼科検査では、検者が被検者に指示を出したり眼科検査装置の操作を行ったりする。近年、眼科検査装置の設置場所と異なる場所にいる検者が被検者や眼科検査装置に指示を出しつつ検査を行う遠隔検査が普及してきている（例えば特許文献１−６を参照）。遠隔検査では、検者から被検者に対して視覚的指示や聴覚的指示が与えられる。
【先行技術文献】
【特許文献】
【０００４】
【特許文献１】特開２００１−２８６４４２号公報
【特許文献２】特開２００２−１０９７８号公報
【特許文献３】特開２００２−７８６７９号公報
【特許文献４】特開２００２−７８６８１号公報
【特許文献５】特開２００５−３４２０４２号公報
【特許文献６】国際公開第２００３／０４１５７２号
【発明の概要】
【発明が解決しようとする課題】
【０００５】
眼科検査には様々な種類があり、例えば視標を用いた自覚測定のように熟練を要する検査も少なからず存在する。
【０００６】
一方、遠隔検査では、様々な場所に分散的に配置された複数の眼科検査装置のそれぞれに、複数の検者（又は検者端末）のいずれかが割り当てられる。このような遠隔検査の品質を担保・向上するには、各検者の能力や癖を把握することが必要である。
【０００７】
全ての検者端末が専門施設等に設置されている場合には、各検者の能力を評価することや能力向上を図ることは難しくない。しかし、遠隔検査では、一般に、複数の検者端末が様々な場所に分散的に配置されているため、検者の能力を担保・向上することは困難であった。
【０００８】
本発明の目的は、検者の能力や癖を評価して検査品質の担保・向上を図ることが可能な眼科システムを提供することにある。
【課題を解決するための手段】
【０００９】
実施形態の第１の態様は、被評価者が使用する第１装置と評価者が使用する第２装置とを含む眼科システムであって、上記被評価者を評価するための試験に用いられる試験データを予め格納する格納手段と、上記試験データに基づき上記第１装置を制御する第１制御手段と、上記試験データに基づき上記第２装置を制御する第２制御手段と、上記試験データに基づき上記第１装置が上記被評価者に提供した提供情報への応答として上記被評価者が上記第１装置に入力した入力情報を上記第２装置に送信する入力情報送信手段とを含み、上記第２制御手段は、上記入力情報に基づいて上記第２装置を制御することを特徴とする。
【００１０】
実施形態の第２の態様は、上記眼科システムが、上記試験データと上記入力情報とに基づいて評価データを生成する評価データ生成手段を含むことを特徴とする。
【００１１】
実施形態の第３の態様は、上記第２装置が、表示部と、上記試験データ及び上記提供情報の少なくとも一方と上記入力情報とを上記表示部に表示させる表示制御部と、操作部と上記操作部を用いて上記評価者が入力した評価データを記録する評価データ記録部とを含むことを特徴とする。
【００１２】
実施形態の第４の態様は、上記眼科システムが、記憶装置と、予め設定された上記被評価者の識別情報に上記評価データを関連付けて上記記憶装置に格納する格納制御手段とを含むことを特徴とする。
【００１３】
実施形態の第５の態様は、上記格納制御手段が、上記識別情報に上記入力情報を関連付けて上記記憶装置に格納することを特徴とする。
【００１４】
実施形態の第６の態様は、上記眼科システムが、評価データの閲覧要求を受信する受信手段と、上記閲覧要求に基づいて上記記憶装置から評価データを検索する検索手段と、上記検索手段により取得された上記評価データを、上記閲覧要求の送信元に送信する評価データ送信手段とを含むことを特徴とする。
【００１５】
実施形態の第７の態様は、上記第１装置が第１眼科検査装置を含み、上記第１制御手段が、上記試験データに基づいて上記第１眼科検査装置を制御することを特徴とする。
【００１６】
実施形態の第８の態様は、上記第２装置が第２眼科検査装置を含み、上記第２制御手段が、上記試験データに基づいて上記第２眼科検査装置を制御することを特徴とする。
【００１７】
実施形態の第９の態様は、上記第１装置が第１眼科検査装置を含み、上記第１制御手段が、上記試験データに基づいて上記第１眼科検査装置を制御し、上記第２装置が第２眼科検査装置を含み、上記第２制御手段が、上記試験データに基づいて上記第２眼科検査装置を制御し、上記眼科システムが、上記第１制御手段による上記第１眼科検査装置の制御と上記第２制御手段による上記第２眼科検査装置の制御とを同期させる同期制御手段を含むことを特徴とする。
【００１８】
実施形態の第１０の態様は、上記眼科システムが、眼科検査により取得された検査データに基づいて上記試験データを作成する試験データ作成手段を含むことを特徴とする。
【発明の効果】
【００１９】
実施形態によれば、検者の能力や癖を評価して検査品質の担保・向上を図ることができる。
【図面の簡単な説明】
【００２０】
【図１Ａ】実施形態に係る眼科システムの構成の一例を表す概略図。
【図１Ｂ】実施形態に係る眼科システムの構成の一例を表す概略図。
【図２】実施形態に係る眼科システムの構成の一例を表す概略図。
【図３】実施形態に係る眼科システムの構成の一例を表す概略図。
【図４】実施形態に係る眼科システムの構成の一例を表す概略図。
【図５】実施形態に係る眼科システムの構成の一例を表す概略図。
【図６】実施形態に係る眼科システムの構成の一例を表す概略図。
【図７】実施形態に係る眼科システムの使用形態の一例を表すシーケンス図。
【図８Ａ】実施形態に係る眼科システムの使用形態の一例を説明するための概略図。
【図８Ｂ】実施形態に係る眼科システムの使用形態の一例を説明するための概略図。
【図９】実施形態に係る眼科システムの使用形態の一例を説明するための概略図。
【図１０】実施形態に係る眼科システムの使用形態の一例を説明するための概略図。
【図１１Ａ】実施形態に係る眼科システムの使用形態の一例を説明するための概略図。
【図１１Ｂ】実施形態に係る眼科システムの使用形態の一例を説明するための概略図。
【図１２Ａ】実施形態に係る眼科システムの使用形態の一例を説明するための概略図。
【図１２Ｂ】実施形態に係る眼科システムの使用形態の一例を説明するための概略図。
【図１２Ｃ】実施形態に係る眼科システムの使用形態の一例を説明するための概略図。
【図１３】実施形態に係る眼科システムの使用形態の一例を説明するための概略図。
【図１４】実施形態に係る眼科システムの使用形態の一例を表すシーケンス図。
【発明を実施するための形態】
【００２１】
本発明の典型的な実施形態の幾つかの例を説明する。なお、この明細書にて引用された文献の内容及び任意の公知技術を実施形態に援用することができる。
【００２２】
実施形態の眼科システムは、各種の施設に設置された眼科検査装置や、可搬型の眼科検査装置を用いた遠隔検査に用いられる。実施形態における遠隔検査では、各種の検者が検査をアシストする。検者の種別として、内部検者や外部検者がある。
【００２３】
内部検者は、眼科検査装置が設置された施設の内部にて検査をアシストする検者である。典型的には、内部検者は、タブレット端末やウェアラブルデバイス（例えば無線型イヤフォン）を用いて、当該施設内にて検査を受けている全て又は一部の被検者の状況を把握して指示を送る。被検者は、内部検者からの指示に基づいて検査を進めることができる。内部検者により使用される情報処理装置を内部検者端末と呼ぶ。
【００２４】
外部検者は、眼科検査装置が設置された施設の外部から検査をアシストする検者である。典型的には、外部検者は、検査を管理するための施設（管理センタ）から、又は、管理センタの外部から、アシストを行うよう構成することができる。管理センタの外部の例として、外部検者の自宅がある。外部検者は、管理センタや自宅等に設置された情報処理装置を用いて、現在検査を受けている全て又は一部の被検者の状況を把握して指示を送る。被検者は、外部検者からの指示に基づいて検査を進めることができる。外部検者により使用される情報処理装置を外部検者端末と呼ぶ。
【００２５】
なお、内部検者端末及び／又は外部検者端末は、検者の評価や指導を行う者により使用される情報処理装置を含んでもよい。このような者を評価担当者と呼ぶことにする。評価担当者は、検者としての役割を担う者であってもよいし、担わない者であってもよい。検者としての役割を担わない評価担当者は、検者の評価者・指導者としての役割や、過去に実施された検査や現在行われている検査の評価者・検証者としての役割を担う。検者の評価は、検者（被評価者）の能力や癖を把握するための所定の試験を通じて行われる。この試験は、典型的には、予め作成された試験データ（試験問題、質問事項等）を利用して実施される。
【００２６】
眼科検査装置が設置される施設の例として、医療機関、眼鏡店、健康診断会場、検診会場、患者の自宅、福祉施設、公共施設、検診車などがある。つまり、眼科検査装置が設置される施設には、医療機関等の固定型施設と、検診車等の移動型施設との少なくとも一方が含まれてよい。また、検者から被検者に送られる指示には、検査の進め方に関する支援や、眼科検査装置の操作や、被検者への助言などが含まれてよい。また、検者が他の検者に指示等を送ることや、評価担当者が検者に指示等を送ることもできる。典型的には、非熟練者である内部検者を、熟練者である外部検者（評価担当者）がアシストすることができる。
【００２７】
眼科検査装置は、被検眼の検査に用いられる任意の装置であってよく、眼科測定装置としての機能及び眼科撮影装置としての機能の少なくとも一方を備えてよい。眼科測定装置は、被検眼の特性を測定するための装置である。眼科測定装置の例として、視力検査装置（視標呈示装置、フォロプタ等）、眼屈折検査装置（レフラクトメータ、ケラトメータ等）、眼圧計、スペキュラーマイクロスコープ、ウェーブフロントアナライザ、視野計、マイクロペリメータなどがある。また、眼科撮影装置は、被検眼を画像化するための装置である。眼科撮影装置の例として、ＯＣＴ、眼底カメラ、ＳＬＯなどがある。更に、眼科検査装置は、測定データや撮影画像を処理及び／又は解析するためのアプリケーションを備えていてもよい。
【００２８】
〈眼科システムの構成〉
実施形態に係る眼科システムの構成の例を説明する。図１Ａに例示された眼科システム１は、検査が行われるＮ個の施設（第１施設〜第Ｎ施設）、管理装置４、外部検者端末５ｍ（ｍ＝１〜Ｍ：Ｍは１以上の整数）などを結ぶネットワーク（通信回線１００）を利用して構築されている。
【００２９】
本例では、外部検者端末５ｍは所定の施設に設置されており、この施設には眼科検査装置９ｋ（ｋ＝１〜Ｋ：Ｋは１以上の整数）が設置されている。この実施形態の眼科システム１は、外部検者端末５ｍとともに使用することが可能な眼科検査装置９ｋも含んでいるが、他の例における眼科システムは、外部検者端末５ｍとともに使用可能な眼科検査装置を含まなくてもよい。
【００３０】
検査が行われる各施設（第ｎ施設：ｎ＝１〜Ｎ、Ｎは１以上の整数）には、１以上の眼科検査装置２−ｉｎ（ｉｎ＝１〜Ｋｎ、Ｋｎは１以上の整数）が設置されている。眼科検査装置２−ｉｎは、眼科システム１に含まれる。なお、眼科システム１は、眼科以外の検査を実施可能な検査装置を含んでいてもよい。
【００３１】
本例の眼科検査装置２−ｉｎは、被検者（被検眼）の検査を実施する「検査装置」としての機能と、各種データ処理や外部装置との通信を行う「コンピュータ」としての機能の双方を備えている。他の例において、検査装置とコンピュータとを別々に設けられていてよい。この場合、検査装置とコンピュータとは互いに通信可能に構成される。検査装置の数とコンピュータの数とはそれぞれ任意である。例えば、単一のコンピュータと複数の検査装置とが設けられていてよい。
【００３２】
Ｎ個の施設（第１施設〜第Ｎ施設）のうちの少なくとも一部には、内部検者により使用される情報処理装置（内部検者端末）が設置されている。図１Ａに示す例では、第１施設及び第Ｎ施設には内部検者端末が設置されておらず、第ｎ施設には内部検者端末３−ｎが設置されている。
【００３３】
内部検者端末３−ｎは、第ｎ施設において使用されるコンピュータである。内部検者端末３−ｎは、例えば、タブレット端末やスマートフォン等のモバイル端末、無線型イヤフォン等のウェアラブルデバイス、及び、第ｎ施設に設置されたサーバ（施設内サーバ等）のうちの少なくとも１以上を含んでいてよい。なお、内部検者端末３−ｎは、第ｎ施設においてその機能を実現可能なコンピュータであれば十分であり、例えば、第ｎ施設の外部に設置されたコンピュータ（クラウドサーバ等）を含んでいてもよい。
【００３４】
眼科検査装置２−ｉｎと内部検者端末３−ｎとは、第ｎ施設内に構築されたネットワーク（施設内ＬＡＮ等）や、広域ネットワーク（インターネット等）や、近距離通信技術を介して通信を行えるように構成されてよい。
【００３５】
眼科検査装置２−ｉｎは、サーバとしての機能を備えていてよい。この構成が適用される場合、眼科検査装置２−ｉｎと内部検者端末３−ｎとが直接に通信を行うように構成することができる。この場合、内部検者端末３−ｎと管理装置４との間で通信を行う機能を設ける必要はない。つまり、管理装置４と内部検者端末３−ｎとの間の通信を眼科検査装置２−ｉｎを経由して行うように構成することが可能である。
【００３６】
眼科システム１は、管理装置４を含んでいてよい。典型的には、管理装置４は管理センタに設置される。管理装置４は、通信回線１００（ＬＡＮ、広域ネットワーク等）を介して外部検者端末５ｍ及び眼科検査装置９ｋと通信が可能である。更に、管理装置４は、第１〜第Ｎ施設に設置された眼科検査装置２−ｉｎと、通信回線１００（広域ネットワーク等）を介して通信が可能である。
【００３７】
管理装置４は、複数の眼科検査装置２−ｉｎの少なくとも１つと、複数の検者端末（内部検者端末３−ｎ及び外部検者端末５ｍが含まれる）の少なくとも１つと間の通信を制御する。第１の例において、管理装置４は、複数の眼科検査装置２−ｉｎのうちの１つと、内部検者端末３−ｎとの間の通信を制御する。第２の例において、管理装置４は、複数の眼科検査装置２−ｉｎのうちの１つと、外部検者端末５ｍ（及び眼科検査装置９ｋ）との間の通信を制御する。第３の例において、管理装置４は、複数の眼科検査装置２−ｉｎのうちの１つと、内部検者端末３−ｎと、外部検者端末５ｍ（及び眼科検査装置９ｋ）とを含む３つの装置（又は４つの装置）の間の通信を制御する。第４の例において、管理装置４は、複数の眼科検査装置２−ｉｎのうちの１つと、２つの内部検者端末３−ｎとを含む３つの装置の間の通信を制御する。第５の例において、管理装置４は、複数の眼科検査装置２−ｉｎのうちの１つと、２つの外部検者端末５ｍ（及び眼科検査装置９ｋ）とを含む３つの装置（又は４つ以上の装置）の間の通信を制御する。
【００３８】
このような通信態様に加え、管理装置４は、１つ以上の内部検者端末３−ｎと１つ以上の外部検者端末５ｍ（及び眼科検査装置９ｋ）との間の通信の制御、２つ以上の内部検者端末３−ｎの間、２つ以上の外部検者端末５ｍの間の通信の制御、２つ以上の眼科検査装置２−ｉｎの間の通信の制御、及び、２つ以上の眼科検査装置９ｋの間の通信の制御のうちの少なくとも１つを実行可能である。また、管理装置４は、上記した各種装置の任意の組み合わせの間の通信の制御を実行することができる。
【００３９】
管理装置４は、眼科検査装置２−ｉｎと検者端末との間の通信を中継する機能と、２つの検者端末の間の通信を中継する機能と、２つの眼科検査装置２−ｉｎの間の通信を中継する機能とを備えていてよい。
【００４０】
管理装置４は、眼科検査装置２−ｉｎと検者端末との間でやりとりされた情報の少なくとも一部を記録する機能を含んでいてよい。記録された情報を検査情報と呼ぶ。検査情報は、眼科検査装置２−ｉｎから検者端末に送信された情報の少なくとも一部を含んでよい。また、検査情報は、検者端末から眼科検査装置２−ｉｎに送信された情報の少なくとも一部を含んでよい。
【００４１】
検査情報は、眼科検査装置２−ｉｎと検者端末との間のやりとりに関する任意の情報を含んでよい。このような情報の例として、眼科検査装置２−ｉｎと検者端末との間の通信が確立されているときに眼科検査装置２−ｉｎの内部又は検者端末の内部において処理された任意の情報がある。その典型的な例として、当該装置の内部要素又は外部装置を制御するための情報（制御情報）と、当該装置に入力された情報（入力情報）と、入力情報を処理して得られた情報（処理結果）とがある。
【００４２】
制御情報は、例えば、被検眼の検査において当該装置を制御するための制御情報、当該装置に設けられた出力装置（表示装置、印刷装置等）に情報を出力させるための制御情報、当該装置に接続された出力装置に情報を出力させるための制御情報などを含む。
【００４３】
入力情報は、例えば、ユーザが当該装置に入力した情報、ユーザが当該装置を操作するために入力した指示を表す情報、外部装置が当該装置に入力した情報などを含む。
【００４４】
処理結果は、例えば、被検眼の過去の検査で得られた結果の処理結果、被検眼の過去の画像の処理結果、ユーザが当該装置に入力した指示の適否の判定結果などを含む。
【００４５】
管理装置４は、眼科検査装置２−ｉｎと検者端末とを対応付ける機能、つまり、眼科検査装置２−ｉｎのそれぞれに検者を割り当てる機能を備えていてよい。眼科検査装置２−ｉｎと検者端末との間の対応付けは、一対一対応、多対一対応、及び、一対多対応のいずれでもよい。また、管理装置４は、眼科検査装置２−ｉｎと検者端末との間の通信の内容に既定のミスが発生したことを検知する機能と、これを記録する機能と、当該検者端末及び／又は他の検者端末に警告を通知する機能とを備えていてよい。
【００４６】
管理装置４は、１以上のコンピュータを含む。管理装置４が複数のコンピュータを含む場合の例を図１Ｂに示す。図１Ｂに示す管理装置４は、マスター管理装置６とＲ個のローカル管理装置７−ｒとを含む（Ｒは２以上の整数）。マスター管理装置６と各ローカル管理装置７−ｒとは、通信回線１００を介して通信が可能である。また、２以上のローカル管理装置６が通信回線１００を介して通信可能であってもよい。
【００４７】
マスター管理装置６は、第１〜第Ｎ施設のそれぞれに設置された装置（少なくとも眼科検査装置２−ｉｎが含まれる。内部検者端末３−ｎが更に含まれてもよい。）と、通信回線１００を介して通信が可能である。マスター管理装置６は、管理センタの内部又は外部に設置される。また、マスター管理装置６は、２以上の情報処理装置を含んでいてよい。
【００４８】
１つの例において、２以上の管理センタが設けられていてよい。ローカル管理装置７−ｒは、例えば、いずれかの管理センタに設置される。当該管理センタ内に１以上の外部検者端末５ｍが設置されている場合、ローカル管理装置７−ｒは、当該外部検者端末５ｍのそれぞれを管理することができる。また、当該管理センタ内に１以上の眼科検査装置９ｋが設置されている場合、ローカル管理装置７−ｒは、当該眼科検査装置９ｋのそれぞれを管理することができる。マスター管理装置６は、ローカル管理装置７−ｒのそれぞれを管理する。
【００４９】
管理装置４の構成については後述する。管理装置４が複数のコンピュータを含む場合、後述の管理装置４の構成要素が複数のコンピュータに分散配置される。また、任意の構成要素を２以上のコンピュータに重複的に設けることができる。それにより、例えば分散処理や冗長化が実現される。
【００５０】
前述したように、この実施形態では、外部検者端末５ｍが設置されている施設に眼科検査装置９ｋが設置されている。本例の眼科検査装置９ｋは、実際の検査に使用されてもよいし、検査以外の用途に使用されてもよい。検査以外の用途として、検者の評価・指導がある。典型的な例において、眼科検査装置９ｋは、検査及び評価等の双方に使用されるか、或いは、評価等のみに使用される。眼科検査装置９ｋは、眼科検査装置２−ｉｎのいずれかと同じ装置であってよい。
【００５１】
外部検者端末５ｍは、例えば、デスクトップコンピュータ、ラップトップコンピュータ、モバイル端末、ウェアラブルデバイス、及び、サーバ（施設内サーバ、クラウドサーバ等）のうちの少なくとも１以上を含んでいてよい。
【００５２】
外部検者端末５ｍと眼科検査装置９ｋとは、例えば、当該施設内に構築されたネットワーク（施設内ＬＡＮ等）や、広域ネットワーク（インターネット等）や、近距離通信技術を介して通信を行えるように構成されてよい。
【００５３】
眼科検査装置９ｋは、サーバとしての機能を備えていてよい。この構成が適用される場合、眼科検査装置９ｋと外部検者端末５ｍとが直接に通信を行うように構成することができる。この場合、管理装置４と外部検者端末５ｍとの間の通信を眼科検査装置９ｋを経由して行うことが可能である。
【００５４】
〈眼科検査装置の構成〉
眼科検査装置２−ｉｎの構成について説明する。図２に例示された眼科検査装置２は、図１Ａに示す複数の眼科検査装置２−ｉｎのそれぞれに相当する。同様に、内部検者端末３−ｎのそれぞれを内部検者端末３と記載し、外部検者端末５ｍのそれぞれを外部検者端末５と記載し、眼科検査装置９ｋのそれぞれを眼科検査装置９と記載することがある。
【００５５】
眼科検査装置２は、制御部２０と、検査部２１と、検査状況情報生成部２２ａと、通信要求生成部２２ｂと、ユーザインターフェイス（ＵＩ）部２３と、通信部２４とを備える。これら構成要素は、一体的に（つまり単一の筐体内に）設けられていてもよいし、２以上の筐体内に分散配置されていてもよい。前者の例として、レフラクトメータ、ケラトメータ、眼圧計、スペキュラーマイクロスコープ、ウェーブフロントアナライザ、視野計、マイクロペリメータ、ＯＣＴ、眼底カメラ、ＳＬＯなどがある。後者の例として、視標呈示装置とフォロプタとを含む視力検査装置がある。また、制御部２０の一部又は全部をパーソナルコンピュータやモバイル端末に設けることができる。また、ユーザインターフェイス部２３の一部又は全部を、パーソナルコンピュータ、モバイル端末、テレビ受像機、スマートテレビなどに設けることができる。
【００５６】
〈制御部２０〉
制御部２０は、各種の制御や演算を実行する。制御部２０はプロセッサを含む。なお、本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部２０は、例えば、記憶回路や記憶装置に格納されているプログラムを読み出し実行することで、実施形態に係る機能を実現する。制御部２０は、更に、ＲＡＭ、ＲＯＭ、ハードディスクドライブ、ソリッドステートドライブなどを含んでいてよい。
【００５７】
〈出力制御部２０１〉
制御部２０は出力制御部２０１を備える。出力制御部２０１は、内部検者端末３又は外部検者端末５から眼科検査装置２に送信された情報を出力するための制御を行う。出力される情報の例として視覚情報と音声情報がある。視覚情報は、視覚系により認識される情報であり、文字列情報や画像情報を含む。文字列情報は、例えば、検者の指示を表す文字メッセージを含む。画像情報は、例えば、検者の顔や手の動画像や、検者の指示を表すマークを含む。出力制御部２０１は、後述の液晶ディスプレイ（ＬＣＤ）２１４や表示装置２３１を制御することにより視覚情報を出力させる。音声情報は、聴覚系により認識される情報であり、警告音や音声メッセージを含む。出力制御部２０１は、後述の音声出力装置２３３を制御することにより聴覚情報を出力させる。出力制御部２０１が実行する処理の具体例は後述される。
【００５８】
〈検査部２１〉
検査部２１は、制御部２０による制御を受けて被検眼の検査を実行する。検査部２１は、眼科検査装置２の種別に応じた構成を備える。検査部２１の構成は、公知の構成の少なくとも一部であってよく、或いは公知の構成を含んでよい。検査部２１は、以下のような光学系と、図示しない機構（アクチュエータ、動力伝達機構等）を含む。
【００５９】
検査部２１が被検眼Ｅの特性を測定する機能を備える場合、検査部２１は、例えば、被検眼に光を投射するための光学系を少なくとも備え、被検眼に投射された光の戻り光を検出するための光学系を更に備える。更に、検査部２１は、被検眼に固視標を投影するための光学系や、アライメントを行うための光学系や、フォーカシングを行うための光学系など、各種機能の光学系を備えていてよい。また、検査部２１は、戻り光の検出結果（画像信号、映像信号等）を処理するためのプロセッサを含んでよい。
【００６０】
検査部２１が被検眼Ｅを撮影する機能を備える場合、検査部２１は、例えば、被検眼に光を投射するための光学系と、被検眼に投射された光の戻り光を検出するための光学系とを含む。更に、検査部２１は、測定機能の場合と同様に、各種の光学系を含んでよい。また、検査部２１は、戻り光の検出結果（画像信号、映像信号等）を処理するためのプロセッサを含んでよい。
【００６１】
以上のような光学系は検査光学系２１１に相当する。検査光学系２１１は、光学素子２１２と投射系２１３とを含む。光学素子２１２は、投射系２１３から出力された光束を被検眼Ｅに導くために被検眼Ｅに適用される。光学素子２１２は、例えば、レンズ（対物レンズ等）、プリズム（対物プリズム等）、凹面鏡（放物面鏡等）、ガラス板などの各種光学素子のいずれかを含んでよい。
【００６２】
投射系２１３は、被検眼Ｅを検査するための光束（検査光束）を光学素子２１２を介して被検眼Ｅに投射する。投射系２１３にはＬＣＤ２１４が設けられている。ＬＣＤ２１４は、制御部２０の制御を受けて動作する。ＬＣＤ２１４は、検査に用いられる情報（検査情報：視標、固視標等）を表示する機能と、内部検者端末３又は外部検者端末５から送信された情報を表示する機能とを担う。後者は情報提示光学系の機能であり、ＬＣＤ２１４は情報提示光学系の表示部に相当する。更に、投射系２１３は、内部検者端末３又は外部検者端末５から送信された情報に相当するＬＣＤ２１４からの光束（表示光束）を光学素子２１２を介して被検眼Ｅに導く導光系の機能を奏する。つまり、本実施形態の検査部２１では、検査光学系と情報提示光学系とが共通の構成となっている。これに対し、検査光学系と情報提示光学系とを別々に構成することも可能であり、その例は後述される。
【００６３】
〈検査状況情報生成部２２ａ〉
検査状況情報生成部２２ａは、被検眼Ｅの検査の状況を表す検査状況情報を生成する。検査状況情報は、検査の進行状況（検査のフェーズ）、検査の途中結果（例えば、視力検査における視標の呈示履歴）、検査時間（例えば、検査開始時刻、経過時間）などを含む。眼科検査装置２が被検眼Ｅや被検者を撮影する機能を備える場合、検査状況情報は、被検眼Ｅ等の撮影画像（静止画像、動画像）を含んでよい。また、検査状況情報は、音声入力装置２３４を介して入力された被検者の音声情報を含んでよい。生成された検査状況情報は、例えば、内部検者端末３及び／又は外部検者端末５に送信され、検者によって参照される。また、本実施形態では、生成された検査状況情報は通信要求生成部２２ｂに送られる。検査状況情報生成部２２ａは、例えば、プロセッサと、検査を実施するためのコンピュータプログラム又はこれを監視するコンピュータプログラムとを含む。
【００６４】
なお、眼科検査装置２から内部検者端末３及び／又は外部検者端末５に向けて送信される情報の全てが検査状況情報生成部２２ａに処理される必要はない。例えば、被検眼Ｅの動画像や被検者の音声情報をそのまま内部検者端末３及び／又は外部検者端末５に向けて送信することができる。それにより、被検眼Ｅの状態や被検者の状態や被検者のリクエストを実質的にタイムラグなく検者に提供することができる。
【００６５】
〈通信要求生成部２２ｂ〉
通信要求生成部２２ｂは、内部検者及び／又は外部検者を読み出すための要求（通信要求）を生成する。通信要求生成部２２ｂは、被検者からの指示に対応して通信要求を生成する処理と、検査状況情報生成部２２ａにより生成された検査状況情報に基づいて通信要求を生成する処理との少なくとも一方を実行可能に構成される。
【００６６】
被検者からの指示はユーザインターフェイス部２３を用いて入力される。指示の入力は、例えば、後述の操作装置２３２及び／又は音声入力装置２３４を介して行われる。具体例として、被検者は、操作装置２３２を用いて、内部検者及び／又は外部検者を呼び出すための所定の操作（ボタンの押下、レバーの傾倒など）を行う。また、被検者は、後述の表示装置２３１により表示されているソフトウェアキーを操作装置２４２を用いて操作することにより、或いは、タッチパネルディスプレイに表示されているソフトウェアキーを指で操作することにより、呼び出し要求を入力することができる。また、検査内容を把握していない旨のメッセージや、内部検者及び／又は外部検者の指示を必要とする旨のメッセージを被検者が発声すると、その音声情報を音声入力装置２３４により検出することができる。本例によれば、被検者の要望に応じてアシストを提供することが可能である。
【００６７】
検査状況情報に基づき通信要求を生成する場合の例を説明する。検査状況情報生成部２２ａは、検査状況を監視しつつ検査状況情報を逐次に生成する。通信要求生成部２２ｂは、生成された検査状況情報が所定の条件に該当するか否か判定する。所定の条件としては、例えば、検査が進行していないこと、検査の途中結果（例えば、視力検査における視標の呈示履歴）が不適当であること、検査開始からの経過時間が長いこと、瞼が閉じている時間が長いこと、被検眼Ｅの固視が不適用であることなどがある。検査が進行していないことは、例えば、検査フェーズが所定時間以上移行していないこと（例えば同じ視標が提示されていること）を検出することによって認識される。検査の途中結果が不適当であることは、例えば、視標の提示順序が不適当であること（例えば、応答内容が収束していかないこと）を検出することによって認識される。瞼が閉じていることや被検眼Ｅの固視状態は、被検眼Ｅの撮影画像を解析することにより認識される。この画像解析は、例えば瞳孔の検出を含む。本例によれば、アシストが必要な状況を自動で検出することが可能である。
【００６８】
通信要求生成部２２ｂにより生成された通信要求は通信部２４によって他装置（管理装置４、内部検者端末３、外部検者端末５等）に送信される。
【００６９】
〈ユーザインターフェイス部２３〉
ユーザインターフェイス部２３は、被検者（及び内部検者）に向けた情報を出力する機能と、情報入力や操作指示を行うための機能とを備える。ユーザインターフェイス部２３は、前者の機能のための表示装置２３１及び音声出力装置２３３と、後者の機能のための操作装置２３２及び音声入力装置２３４とを含む。
【００７０】
表示装置２３１は、フラットパネルディスプレイ等の表示デバイスを含む。操作装置２３２は、眼科検査装置２の筐体や外部に設けられたボタン、キー、ジョイスティック、ノブ、操作パネル等の操作デバイスを含む。また、操作装置２３２は、眼科検査装置２に接続されたパーソナルコンピュータ等の操作デバイス（マウス、キーボード、トラックパッド、ボタン、タッチパネル等）を含んでよい。ユーザインターフェイス部２３は、表示装置２３１と操作装置２３２とが一体化されたタッチパネル等のデバイスや、グラフィカルユーザインターフェイス（ＧＵＩ）を含んでよい。また、ユーザインターフェイス部２３は、音声入力装置２３４から入力された被検者の音声に基づき操作や入力を行うためのプロセッサ及びコンピュータプログラムを含んでもよい。
【００７１】
音声出力装置２３３は、例えば、出力される音声情報（音声信号）を処理する回路と、処理された音声情報を出力するスピーカとを含む。また、音声入力装置２３４は、音声情報を電気信号に変換するマイクロフォンと、この電気信号を処理する回路とを含む。
【００７２】
〈通信部２４〉
通信部２４は、他装置（管理装置４、内部検者端末３、外部検者端末５、眼科検査装置９等）との間でデータ通信を行う。データ通信の方式は任意である。例えば、通信部２４は、インターネットに準拠した通信インターフェイス、ＬＡＮに準拠した通信インターフェイス、近距離通信に準拠した通信インターフェイスなどを含む。データ通信は有線通信でも無線通信でもよい。通信部２４により送受信されるデータは暗号化されてよい。その場合、例えば、制御部２０は、送信データを暗号化する暗号化処理部と、受信データを復号化する復号化処理部とを含む。
【００７３】
眼科検査装置２は、管理装置４に記録される検査情報に含まれる情報、又は、その候補を、少なくとも一時的に記録するように構成されてよい。例えば、被検眼Ｅの検査が行われているときに、各種情報を記録することができる。記録される情報の例として、眼科検査装置２に入力された情報、眼科検査装置２の内部の情報、及び、眼科検査装置２が出力した情報などがある。
【００７４】
眼科検査装置２は、例えば、検査中に各種情報を逐次に記録し、蓄積された情報を所定のタイミングで管理装置４に送信するように構成される。このとき、眼科検査装置２は、予め設定されたルールにしたがって、記録される情報を選択することができる。
【００７５】
情報の送信タイミングは、例えば、被検眼Ｅの検査が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【００７６】
このような記録処理を眼科検査装置２が実行しない場合においては、被検眼Ｅの検査が行われているときに、眼科検査装置２は、各種情報をリアルタイムで管理装置４に送信する。この場合、眼科検査装置２は、予め設定されたルールにしたがって、管理装置４に送信する情報を選択するように構成されてよい。例えば、眼科検査装置２は、検者が入力した情報と被検者が入力した情報とを選択して管理装置４に送信するように構成される。
【００７７】
〈内部検者端末の構成〉
内部検者端末３の構成について説明する。図３に例示された内部検者端末３は、制御部３０と、ユーザインターフェイス（ＵＩ）部３１と、送信情報生成部３２と、通信部３３とを備える。
【００７８】
〈制御部３０〉
制御部３０は、内部検者端末３の各部の制御と、各種の演算処理とを実行する。制御部３０はプロセッサを含む。制御部３０は、更に、ＲＡＭ、ＲＯＭ、ハードディスクドライブ、ソリッドステートドライブなどを含んでいてよい。
【００７９】
〈出力制御部３０１〉
制御部３０は出力制御部３０１を含む。出力制御部３０１は、管理装置４に記録された検査情報に基づいてユーザインターフェイス部３１を制御する。特に、出力制御部３０１は、検査情報に基づく情報を表示装置３１１及び／又は音声出力装置３１３に出力させる。また、出力制御部３０１は、管理装置４と連係的に動作することで、内部検者端末３を用いて検者を評価するための情報を表示装置３１１及び／又は音声出力装置３１３に出力させる。出力制御部３０１が実行する処理の詳細については後述する。
【００８０】
〈ユーザインターフェイス部３１〉
ユーザインターフェイス部３１は、ユーザに向けた情報を出力する機能と、ユーザが情報入力や操作指示を行うための機能とを備える。ユーザインターフェイス部３１は、眼科検査装置２のユーザインターフェイス２３と同様に、表示装置３１１、操作装置３１２、音声出力装置３１３、及び音声入力装置３１４を含む。
【００８１】
出力制御部３０１は、例えば、眼科検査装置２から逐次に送信される検査状況情報を表示し、かつ、被検者への指示を入力するための画面（ＧＵＩ等）を表示装置３１１に表示させる。また、出力制御部３０１は、被検者の音声情報を音声出力装置３１３に出力させる。検者は、表示情報や音声情報を参照して指示の内容を決定し、操作装置３１２を用いてそれを入力する。また、音声による指示は、音声入力装置３１４を介して入力される。
【００８２】
また、出力制御部３０１は、例えば、他の検者端末（他の内部検者端末３、外部検者端末５等）から送信される情報を表示し、かつ、他の検者端末に送信される情報を入力するための画面（ＧＵＩ等）を表示装置３１１に表示させる。また、出力制御部３０１は、他の検者端末に入力された音声情報を音声出力装置３１３に出力させる。検者は、他の検者端末から送信された表示情報や音声情報を参照して被検者や他の検者へのメッセージを決定し、操作装置３１２を用いてメッセージを入力する。また、音声によるメッセージは、音声入力装置３１４を介して入力される。
【００８３】
また、出力制御部３０１は、内部検者端末３のユーザである検者を評価するための画面（ＧＵＩ等）を表示装置３１１に表示させる。また、出力制御部３０１は、検者を評価するための音声情報を音声出力装置３１３に出力させる。検者は、評価のための表示情報や音声情報に対する応答を操作装置３１２を用いて入力する。また、音声による応答は、音声入力装置３１４を介して入力される。
【００８４】
〈送信情報生成部３２〉
送信情報生成部３２は、検者がユーザインターフェイス３１を用いて入力した情報に基づいて、他装置のユーザ（眼科検査装置２を使用している被検者、他の検者端末を使用している検者等）に向けた情報（送信情報）を生成する。送信情報生成部３２は、例えば、プロセッサと、上記画面（ＧＵＩ）に連係して実行される送信情報生成プログラムとを含む。
【００８５】
なお、内部検者端末３から他装置に向けて送信される情報の全てが送信情報生成部３２に処理される必要はない。例えば、検者の動画像や音声情報をそのまま他装置に向けて送信することができる。それにより、検者のメッセージを実質的にタイムラグなく被検者や他の検者に提供することができる。
【００８６】
〈通信部３３〉
通信部３３は、他装置（眼科検査装置２、管理装置４、外部検者端末５、眼科検査装置９等）との間でデータ通信を行う。データ通信の方式や暗号化については、眼科検査装置２の通信部２４と同様であってよい。
【００８７】
内部検者端末３は、管理装置４に記録される検査情報に含まれる情報、又は、検査情報に含まれる情報の候補を、少なくとも一時的に記録するように構成されてよい。例えば、内部検者端末３を用いて被検眼Ｅの検査、又は、他の検者への指示等を行っているときに、各種情報を記録することができる。記録される情報の例として、内部検者端末３に入力された情報、内部検者端末３の内部の情報、及び、内部検者端末３が出力した情報などがある。
【００８８】
内部検者端末３は、例えば、検査中に各種情報を逐次に記録し、蓄積された情報を所定のタイミングで管理装置４に送信するように構成される。このとき、内部検者端末３は、予め設定されたルールにしたがって、記録される情報を選択することができる。
【００８９】
情報の送信タイミングは、例えば、被検眼Ｅの検査が終了したタイミング、他の検査への指示等が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【００９０】
このような記録処理を内部検者端末３が実行しない場合においては、被検眼Ｅの検査が行われているときに、内部検者端末３は、各種情報をリアルタイムで管理装置４に送信する。この場合、内部検者端末３は、予め設定されたルールにしたがって、管理装置４に送信する情報を選択するように構成されてよい。例えば、内部検者端末３は、検者が入力した情報を選択して管理装置４に送信するように構成される。
【００９１】
詳細については後述するが、通信部３３は、内部検者端末３のユーザである検者を評価するための情報の送信及び受信を行う。
【００９２】
〈外部検者端末の構成〉
外部検者端末５の構成について説明する。図４に例示された外部検者端末５は、制御部５０と、撮影部５１と、ユーザインターフェイス（ＵＩ）部５２と、送信情報生成部５３と、通信部５４とを備える。
【００９３】
〈制御部５０〉
制御部５０は、外部検者端末５の各部の制御と、各種の演算処理とを実行する。制御部５０はプロセッサを含む。制御部５０は、更に、ＲＡＭ、ＲＯＭ、ハードディスクドライブ、ソリッドステートドライブなどを含んでいてよい。
【００９４】
〈出力制御部５０１〉
制御部５０は出力制御部５０１を含む。出力制御部５０１は、管理装置４に記録された検査情報に基づいてユーザインターフェイス部５２を制御する。特に、出力制御部５０１は、検査情報に基づく情報を表示装置５２１及び／又は音声出力装置５２３に出力させる。また、出力制御部５０１は、管理装置４と連係的に動作することで、内部検者端末３のユーザである検者を外部検者端末５を用いて評価するための情報を表示装置５２１及び／又は音声出力装置５２３に出力させる。出力制御部５０１が実行する処理の詳細については後述する。
【００９５】
〈評価データ記録部５０２〉
制御部５０は評価データ記録部５０２を含む。評価データ記録部５０２は、内部検者端末３のユーザである検者について外部検者端末５のユーザ（評価担当者）が入力した評価データ（評価結果、評価内容等）を記録する。評価データ記録部５０２は、ＲＡＭ、ハードディスクドライブ、ソリッドステートドライブ等の記憶装置を含む。評価データの入力や記録の詳細については後述する。
【００９６】
〈撮影部５１〉
撮影部５１は、検者を動画撮影するために使用され、例えばビデオカメラを含む。撮影対象は、被検者への指示を表現するために用いられる身体部位（例えば、顔、上半身、手など）を含む。
【００９７】
〈ユーザインターフェイス部５２〉
ユーザインターフェイス部５２は、検者に向けた情報を出力する機能と、検者が情報入力や操作指示を行うための機能とを備える。ユーザインターフェイス部５２は、眼科検査装置２のユーザインターフェイス２３と同様に、表示装置５２１、操作装置５２２、音声出力装置５２３、及び音声入力装置５２４を含む。
【００９８】
制御部５０は、例えば、眼科検査装置２から逐次に送信される検査状況情報を表示し、かつ、被検者への指示を入力するための画面（ＧＵＩ等）を表示装置５２１に表示させる。また、制御部５０は、被検者の音声情報を音声出力装置５２３に出力させる。検者は、表示情報や音声情報を参照して指示の内容を決定し、操作装置５２２を用いてそれを入力する。また、音声による指示は、音声入力装置５２４を介して入力される。
【００９９】
また、制御部５０は、例えば、他の検者端末（内部検者端末３、他の外部検者端末５等）から送信される情報を表示し、かつ、他の検者端末に送信される情報を入力するための画面（ＧＵＩ等）を表示装置５２１に表示させる。また、制御部５０は、他の検者端末に入力された音声情報を音声出力装置５２３に出力させる。検者は、他の検者端末から送信された表示情報や音声情報を参照して被検者や他の検者へのメッセージを決定し、操作装置５２２を用いてメッセージを入力する。また、音声によるメッセージは、音声入力装置５２４を介して入力される。
【０１００】
また、出力制御部５０１は、内部検者端末３のユーザである検者を外部検者端末５を用いて評価するための画面（ＧＵＩ等）を表示装置５２１に表示させる。また、出力制御部５０１は、検者を評価するための音声情報を音声出力装置５２３に出力させる。外部検者端末５のユーザ（評価担当者）は、検者を評価するための情報を操作装置３１２を用いて入力する。また、検者を評価するための音声情報を音声入力装置３１４を介して入力することができる。
【０１０１】
〈送信情報生成部５３〉
送信情報生成部５３は、検者がユーザインターフェイス５２を用いて入力した情報に基づいて、他装置のユーザ（眼科検査装置２を使用している被検者、他の検者端末を使用している検者等）に向けた情報（送信情報）を生成する。送信情報生成部５３は、例えば、プロセッサと、上記画面（ＧＵＩ）に連係して実行される送信情報生成プログラムとを含む。
【０１０２】
なお、外部検者端末５から他装置に向けて送信される情報の全てが送信情報生成部５３に処理される必要はない。例えば、検者の動画像や音声情報をそのまま他装置に向けて送信することができる。それにより、検者のメッセージを実質的にタイムラグなく被検者に提供することができる。
【０１０３】
〈通信部５４〉
通信部５４は、他装置（眼科検査装置２、内部検者端末３、管理装置４等）との間でデータ通信を行う。データ通信の方式や暗号化については、眼科検査装置２の通信部２４と同様であってよい。
【０１０４】
外部検者端末５は、管理装置４に記録される検査情報に含まれる情報、又は、検査情報に含まれる情報の候補を、少なくとも一時的に記録するように構成されてよい。例えば、外部検者端末５を用いて被検眼Ｅの検査、又は、他の検者への指示等を行っているときに、各種情報を記録することができる。記録される情報の例として、外部検者端末５に入力された情報、外部検者端末５の内部の情報、及び、外部検者端末５が出力した情報などがある。
【０１０５】
外部検者端末５は、例えば、検査中に各種情報を逐次に記録し、蓄積された情報を所定のタイミングで管理装置４に送信するように構成される。このとき、外部検者端末５は、予め設定されたルールにしたがって、記録される情報を選択することができる。
【０１０６】
情報の送信タイミングは、例えば、被検眼Ｅの検査が終了したタイミング、他の検査への指示等が終了したタイミング、所定期間が終了したタイミング、所定回数の検査が終了したタイミング、又は、ユーザ、他の検者、評価担当者若しくは外部装置（管理装置４等）から送信指示を受けたタイミングなどであってよい。
【０１０７】
このような記録処理を外部検者端末５が実行しない場合においては、被検眼Ｅの検査が行われているときに、外部検者端末５は、各種情報をリアルタイムで管理装置４に送信する。この場合、外部検者端末５は、予め設定されたルールにしたがって、管理装置４に送信する情報を選択するように構成されてよい。例えば、外部検者端末５は、検者が入力した情報を選択して管理装置４に送信するように構成される。
【０１０８】
詳細については後述するが、通信部５４は、内部検者端末３のユーザである検者を外部検者端末５を用いて評価するための情報の送信及び受信を行う。
【０１０９】
〈管理装置４の構成〉
管理装置４の構成について説明する。図５に例示された管理装置４は、制御部４０と、通信確立部４１と、通信部４２と、評価処理部４３と、試験データ格納部４４と、評価データ格納部４５とを備える。これら構成要素の少なくとも１つは、例えば、図１Ｂに示すマスター管理装置６及び／又はローカル管理装置７−ｒに含まれるハードウェア資源とソフトウェアとの協働によって実現される。
【０１１０】
〈制御部４０〉
制御部４０は、管理装置４の各部を制御する。例えば、制御部４０の一部（マスター制御部）はマスター管理装置６に設けられており、このマスター制御部が各ローカル管理装置７−ｒの制御を行う。制御部４０は、その他の演算処理を実行可能であってよい。制御部４０はプロセッサを含む。制御部４０は、更に、ＲＡＭ、ＲＯＭ、ハードディスクドライブ、ソリッドステートドライブなどを含んでいてよい。
【０１１１】
制御部４０は、通信制御部４０１と、転送制御部４０２と、出力制御部４０３とを含む。
【０１１２】
通信制御部４０１は、眼科検査装置２と内部検者端末３との間、眼科検査装置２と外部検者端末５の間、内部検者端末３と外部検者端末５との間、２以上の眼科検査装置２の間、２以上の内部検者端末３の間、２以上の外部検者端末５の間における、通信の確立に関する制御を実行する。例えば、通信制御部４０１は、複数の眼科検査装置２、１以上の内部検者端末３、及び１以上の外部検者端末５を含む複数の装置のうちから後述の選択部４１２によって選択された装置のそれぞれに向けて、通信を確立するための制御信号を送信することができる。
【０１１３】
転送制御部４０２は、通信確立部４１（及び通信制御部４０１）により通信が確立された装置の間における情報のやりとりに関する制御を行う。例えば、転送制御部４０２は、通信確立部４１（及び通信制御部４０１）により通信が確立された少なくとも２つの装置のうちの１つの装置から送信された情報を、他の１以上の装置の少なくとも一部に転送する。
【０１１４】
転送制御部４０２が実行する処理の具体例を説明する。眼科検査装置２と外部検者端末５との間の通信が確立された場合、転送制御部４０２は、眼科検査装置２（又は外部検者端末５）から送信された情報を外部検者端末５（又は眼科検査装置２）に転送する。このとき、転送制御部４０２は、眼科検査装置２等から送信された情報を加工して得られた情報を外部検者端末５等に送信するようにしてもよい。例えば、転送制御部４０２は、眼科検査装置２等から送信された情報の一部を抽出して外部検者端末５等に送信することができる。また、眼科検査装置２等から送信された情報（例えば被検眼Ｅの画像データ）を管理装置４又は他装置によって解析し、その解析結果（及び元の情報）を外部検者端末５等に送信するようにしてもよい。なお、情報の加工は、このような抽出や解析には限定されず、任意のデータ処理を含んでいてよい。
【０１１５】
転送制御部４０２が実行する処理の他の具体例を説明する。２つの検者端末の間の通信が確立された場合、転送制御部４０２は、一の検者端末から送信された情報を他の検者端末に転送する。このとき、転送制御部４０２は、一の検者端末から送信された情報を加工して得られた情報を他の検者端末に送信するようにしてもよい。例えば、転送制御部４０２は、一の検者端末から送信された情報の一部を抽出して他の検者端末に送信することができる。また、一の検者端末から送信された情報（例えば撮影部５１により得られた画像データ）を管理装置４又は他装置によって解析し、その解析結果（及び元の情報）を他の検者端末に送信するようにしてもよい。なお、情報の加工は任意のデータ処理を含んでいてよい。
【０１１６】
〈出力制御部４０３〉
出力制御部４０３は、管理装置４に記録された検査情報に基づき内部検者端末３を制御するための処理と、検査情報に基づき外部検者端末５を制御するための処理とを実行するように構成される。
【０１１７】
出力制御部４０３は、例えば、内部検者端末３の出力制御部３０１と協働することによって、検査情報に基づく情報を表示装置３１１及び／又は音声出力装置３１３に出力させる。
【０１１８】
同様に、出力制御部４０３は、例えば、外部検者端末５の出力制御部５０１と協働することによって、検査情報に基づく情報を表示装置５２１及び／又は音声出力装置５２３に出力させる。出力制御部５０１が実行する処理の詳細については後述する。
【０１１９】
本実施形態では、検査情報に基づく情報の出力制御を実行する要素（出力制御手段）が、内部検者端末３、外部検者端末５、及び管理装置４のそれぞれに設けられている。ただし、実施形態はこのような構成に限定されない。例えば、内部検者端末３、外部検者端末５、及び管理装置４のうちのいずれか１つ又はいずれか２つに出力制御手段が設けられた構成を適用することができる。２以上の装置に出力制御手段が設けられている場合、当該２以上の出力制御手段が協働するように構成してもよいし、各出力制御手段が独立に動作するように構成してもよい。
【０１２０】
〈通信確立部４１〉
通信確立部４１は、少なくとも１つの眼科検査装置２と少なくとも１つの検者端末とを含む少なくとも２つの装置の間の通信を確立するための処理を実行することができる。本実施形態において「通信の確立」とは、例えば、（１）通信が切断された状態から一方向通信を確立すること、（２）通信が切断された状態から双方向通信を確立すること、（３）受信のみが可能な状態から送信も可能な状態に切り替えること、（４）送信のみが可能な状態から受信も可能な状態に切り替えること、のうちの少なくとも１つを含む概念である。
【０１２１】
具体例として、「通信の確立」には、眼科検査装置２を使用して実施されている検査を内部検者端末３又は外部検者端末５を用いて検者が監視している状態（受信のみ可能な状態）から、被検者に指示を送信可能な状態に切り替えることが含まれてよい。他の具体例として、「通信の確立」には、一の検者端末を用いた検査のアシストの状況を他の検者端末を用いて監視している状態から、一の検者端末にメッセージを送信可能な状態に切り替えることが含まれてよい。
【０１２２】
更に、通信確立部４１は、確立されている通信を切断する処理を実行可能である。本実施形態において「通信の切断」とは、例えば、（１）一方向通信が確立された状態から通信を切断すること、（２）双方向通信が確立された状態から通信を切断すること、（３）双方向通信が確立された状態から一方向通信に切り替えること、（４）送信及び受信が可能な状態から受信のみが可能な状態に切り替えること、（５）送信及び受信が可能な状態から送信のみが可能な状態に切り替えること、のうちの少なくとも１つを含む概念である。
【０１２３】
具体例として、「通信の切断」には、外部検者端末５を用いて外部検者が被検者に指示を送信可能な状態（送信及び受信が可能な状態）から、検査の監視のみが可能な状態（受信のみ可能な状態）に切り替えることが含まれてよい。他の具体例として、「通信の切断」には、２つの検者端末の間の通信状態を、双方向通信から一方向通信又は無通信に切り替えることが含まれてよい。
【０１２４】
眼科検査装置２及び検者端末（内部検者端末３、外部検者端末５）のそれぞれは、他装置（そのユーザ）を呼び出すための通信要求（呼び出し要求）を他装置に送信することができる。また、眼科検査装置２及び検者端末（内部検者端末３、外部検者端末５）のそれぞれは、他の２つの装置の間の通信に割り込むための通信要求（割り込み要求）を他装置に送信することができる。眼科検査装置２及び検者端末（内部検者端末３、外部検者端末５）のそれぞれは、他種別の通信要求を送信可能であってもよい。通信要求は、手動又は自動で発信される。
【０１２５】
本例では、眼科検査装置２及び検者端末（内部検者端末３、外部検者端末５）のそれぞれは、管理装置４に通信要求を送信することができる。管理装置４（通信部４２）は、眼科検査装置２又は検者端末から送信された通信要求を受信し、この通信要求に応じた処理を実行する。
【０１２６】
実施形態において、通信確立部４１は選択部４１２を含んでいてよい。選択部４１２は、受信された通信要求に基づいて、眼科検査装置２、内部検者端末３、及び外部検者端末５のうち、通信要求を送信した装置以外の１以上の装置を選択する。
【０１２７】
例えば、眼科検査装置２からの通信要求を受けた場合、選択部４１２は、例えば、この眼科検査装置２が設置されている施設の内部検者端末３と、外部検者端末５のいずれかとを含む、２以上の検者端末を選択する。通信確立部４１は、選択された２以上の検者端末と、通信要求を発信した眼科検査装置２との間の通信を確立する。なお、眼科検査装置２と内部検者端末３との間の双方向通信等が既に確立されている場合、通信確立部４１は、例えば、この内部検者端末３以外の検者端末（当該施設又は他施設に設置された内部検者端末３、外部検者端末５等）と眼科検査装置２との間の通信の確立のみを実行してもよい。このような通信確立処理により、眼科検査装置２の被検者の要求に応じて検者を自動で選択して検査支援を提供することができる。
【０１２８】
他の例を説明する。検者端末（内部検者端末３又は外部検者端末５）からの通信要求を受けた場合、選択部４１２は、例えば、この内部検者端末３が設置されている施設の眼科検査装置２と、外部検者端末５のいずれかとを含む、２以上の検者端末を選択する。通信確立部４１は、選択された１以上の眼科検査装置２と１以上の検者端末と、通信要求を発信した検者端末との間の通信を確立する。例えば、通信要求を発信した検者端末と眼科検査装置２との間の双方向通信等が既に確立されている場合、通信確立部４１は、この検者端末以外の検者端末と眼科検査装置２との間の通信の確立のみを実行してもよい。このような通信確立処理により、検者の要求に応じて他の検者又は被検者を自動で選択して支援を提供することができる。
【０１２９】
通信要求に応じた装置の選択は、例えば、予め設定された属性に基づいて実行される。この属性の例として、検査の種別や、検査のアシストに要求される専門度・熟練度や、言語の種別や、ユーザの種別（例：評価担当者であるか否か）などがある。本例を実現するために、通信確立部４１は、予め作成された属性情報が記憶された記憶部４１１を含んでいてよい。
【０１３０】
本実施形態において、属性情報は、内部検者端末３及び／又はそのユーザ（内部検者）の属性を表す情報と、外部検者端末５及び／又はそのユーザ（外部検者）の属性を表す情報と、ユーザが評価担当者であるか否かを表す情報（及び／又は、当該ユーザが使用する検者端末が評価に用いられるか否かを表す情報）とを含んでよい。ここで、検者は、例えば、事前に割り当てられた検者ＩＤによって識別される。また、検者端末は、例えば、事前に割り当てられた装置ＩＤやネットワークアドレスによって識別される。典型的な例において、属性情報は、各検者（各ユーザ）の属性として、当該検者が支援可能な検査の種別と、当該検者の専門度・熟練度と、当該検者が使用可能な言語の種別とを含む。更に、典型的な属性情報は、ユーザが評価担当者であることを表す情報（及び、ユーザが評価担当者でないことを表す情報）を含む。
【０１３１】
他の例において、属性情報は、内部検者端末３及び／又はそのユーザ（内部検者）の属性を表す情報と、外部検者端末５及び／又はそのユーザ（外部検者）の属性を表す情報とのうちの一方を含んでいてよい。或いは、属性情報は、検者端末の種別を問わず、所定の検者端末又はそのユーザ（検者）の属性を示す情報を含んでいてもよい。属性情報に含まれる情報（検者端末、検者、属性等）を編集することができる。
【０１３２】
選択部４１２が属性情報を参照する場合、眼科検査装置２、内部検者端末３、又は外部検者端末５から送信される通信要求は、属性に関する情報を含んでいてよい。例えば、眼科検査装置２から送信される通信要求（例えば呼び出し要求）は、次のいずれかを含んでいてよい：（１）眼科検査装置２により実施されている検査の種別を示す情報；（２）検査支援の難易度を示す情報（検査が困難な被検眼又は被検者であることを示す情報、検査の進行状況を示す情報など）；（３）被検者の疾患名や年齢等を示す情報；（４）被検者の使用言語を示す情報。選択部４１２は、受信された通信要求と属性情報とに基づいて、いずれかの内部検者端末３及びいずれかの外部検者端末５の少なくとも一方を選択する。このとき、選択部４１２は、通信要求に含まれる属性に関する情報と、属性情報に含まれる情報とを照合する。それにより、選択部４１２は、例えば次のいずれかの検者に対応する内部検者端末３及び／又は外部検者端末５を選択する：（１）当該検査種別の支援が可能な検者；（２）当該難易度の検査の支援が可能な検者；（３）当該疾患や当該年齢の被検者の支援が可能な検者；（４）当該言語の使用が可能な検者。ここで、内部検者と内部検者端末３との対応、及び、外部検者と外部検者端末５との対応は、例えば、システムへのログイン時に検者端末（装置ＩＤが付与されている）に入力された検者ＩＤによってなされる。
【０１３３】
本実施形態において、２以上の検者を含むグループを設定することができる。グループは、例えば、検者又は他の者（例：評価担当者）によって設定される。グループの設定は、例えば、事前の登録により、又は、その都度の登録により行われる。
【０１３４】
複数のグループを設定可能である場合などには、各グループにＩＤが割り当てられる。このようなグループＩＤは、当該グループに含まれる検者のＩＤに関連付けられる。選択部４１２は、グループＩＤによってグループを識別することができる。また、選択部４１２は、グループＩＤと検者ＩＤとによって、グループと検者との組み合わせを認識することができる。より具体的には、選択部４１２は、グループＩＤと検者ＩＤとによって、特定のグループに含まれる検者を認識することができ、且つ、特定の検者が属するグループを認識することができる。なお、単一のユーザが２以上のグループに属していてもよい。
【０１３５】
〈通信部４２〉
通信部４２は、他装置（眼科検査装置２、内部検者端末３、外部検者端末５等）との間でデータ通信を行う。データ通信の方式や暗号化については、眼科検査装置２の通信部２４と同様であってよい。
【０１３６】
〈試験データ格納部４４〉
試験データ格納部４４は、検者を評価するための試験に用いられる試験データを予め格納する。試験データは、例えば、検査の熟練者及び／又はコンピュータによって作成される。このコンピュータは、管理装置４（試験データ作成部４３１）でもよいし、他のコンピュータでもよい。試験データ格納部４４は、例えば、ハードディスクドライブ、ソリッドステートドライブなどを含む。
【０１３７】
〈評価データ格納部４５〉
評価データ格納部４５は、試験を通じて得られた検者の評価データを格納する。評価データは、例えば、評価担当者及び／又はコンピュータによって生成される。このコンピュータは、管理装置４（評価データ生成部４３４）でもよいし、他のコンピュータ（例えば外部検者端末５）でもよい。評価データ格納部４５は、例えば、ハードディスクドライブ、ソリッドステートドライブなどを含む。
【０１３８】
〈評価処理部４３〉
評価処理部４３は、試験データ格納部４４及び評価データ格納部４５と連係的に動作する。評価処理部４３は、内部検者端末３のユーザである検者を外部検者端末５を用いて評価するための各種の処理を実行する。評価処理部４３は、試験データ作成部４３１と、装置制御部４３２と、通信制御部４３３と、評価データ生成部４３４と、格納制御部４３５と、検索部４３６とを含む。
【０１３９】
〈試験データ作成部４３１〉
試験データ作成部４３１は、過去に実施された眼科検査により取得された検査データに基づいて試験データを作成する。試験データの作成は、例えば、手動、半自動、又は自動で行われる。
【０１４０】
試験データを手動で作成する場合、試験データ作成部４３１は、例えば、過去に取得された検査データを他装置（例えば外部検者端末５）に送信する。また、試験データ作成部４３１は、試験データを作成するための画面（ＧＵＩ）を他装置に表示させるための制御を行うことができる。この画面には、例えば、試験データと、ソフトウェアキーとが表示される。他装置のユーザは、この画面を用いて試験データを作成することができる。作成された試験データは管理装置４に送られて試験データ格納部４４に格納される。
【０１４１】
試験データを半自動で作成する場合、試験データ作成部４３１は、例えば、手動の場合と同様に、過去に取得された検査データを他装置に送信し、且つ、試験データを作成するための画面を他装置に表示させるための制御を行う。他装置のユーザは、この画面を用いて所望の情報を入力する。入力された情報は管理装置４に送られる。
【０１４２】
試験データ作成部４３１は、ユーザが入力した情報と、予め設けられた参照情報とに基づいて、試験データを作成する。例えば、参照情報は、検査の手順（又は試験の手順）を表す複数の項目、各項目における選択肢、各項目における判定基準などを含む。具体例として、参照情報は、本出願人による以下の特許文献のいずれかに記載された検査の手順の少なくとも一部を含んでいてよい：特開２００４−１６６９０３号公報；特開２００４−１８０９５５号公報；特開２００４−２７５５８９号公報；特開２００４−２７５５９０号公報；特開２００４−２７５５９１号公報；特開２００４−２８３２７１号公報。
【０１４３】
試験データ作成部４３１は、例えば、このような参照情報の少なくとも一部を、ユーザが入力した情報に基づき加工する。参照情報の加工は、例えば、入力された情報で参照情報の一部を置換すること、入力された情報を参照情報に追加すること、入力された情報に基づき参照情報の一部を削除すること、などを含んでいてよい。試験データ作成部４３１により作成された試験データは、試験データ格納部４４に格納される。
【０１４４】
試験データを自動で作成する場合、試験データ作成部４３１は、例えば、過去に取得された検査データと、前述の参照情報とに基づいて、試験データを作成する。より具体的には、試験データ作成部４３１は、過去に実施された検査の手順の少なくとも一部に基づいて、参照情報の少なくとも一部を加工することができる。参照情報の加工は、例えば、検査データの一部で参照情報の一部を置換すること、検査データの一部を参照情報に追加すること、検査データに基づき参照情報の一部を削除すること、などを含んでいてよい。試験データ作成部４３１により作成された試験データは、試験データ格納部４４に格納される。
【０１４５】
このように作成される試験データは、被評価者に提示される試験問題（質問、選択肢等）を含んでいてよい。更に、試験データは、試験問題の解答を含んでいてもよい。
【０１４６】
試験データが試験問題の解答を含まない場合、評価担当者が、試験問題に対する被評価者の解答の正誤や点数を判断する。或いは、試験データが試験問題の解答を含まない場合において、過去の検査データの大規模データベースと人工知能エンジンとを利用することによって、試験問題に試験問題に対する被評価者の解答の正誤や点数を判断するように構成することも可能である（後述の評価データ生成部４３４の例）。
【０１４７】
一方、試験データが試験問題の解答を含む場合、評価データ生成部４３４は、試験問題に対する被評価者の応答内容を、当該試験問題の解答と比較することで、正誤を判断したり点数を算出したりすることができる。評価データ生成部４３４が実行する処理については後述する。
【０１４８】
試験データが試験問題を含まない場合もある。その場合、試験データは、例えば、過去の検査データ、試験の様式（フォーマット、プロトコル等）などを含む。試験中又は試験前に、評価担当者は、このような試験データを参照して試験問題を作成することができる。一例において、評価担当者は、被評価者が過去に実施した検査のうちトラブル等が発生した検査のデータを参照して試験問題を作成することができる。他の例において、過去に実施された多数の検査のうちトラブル等が発生する可能性が比較的高い検査のデータを参照して試験問題を作成することができる。
【０１４９】
〈装置制御部４３２〉
装置制御部４３２は、試験データに基づく内部検者端末３の制御と、試験データに基づく外部検者端末５の制御とを行うことができる。本例では、被評価者が使用する内部検者端末３の制御は、装置制御部４３２と制御部３０とによって実行される。同様に、評価担当者が使用する外部検者端末５の制御は、装置制御部４３２と制御部５０とによって実行される。
【０１５０】
これら端末を制御するための構成はこれに限定されない。例えば、装置制御部４３２のみで内部検者端末３及び／又は外部検者端末５の制御を行う構成や、制御部３０のみで内部検者端末３の制御を行う構成や、制御部５０のみで外部検者端末５の制御を行う構成を採用することができる。
【０１５１】
装置制御部４３２は、試験データに基づく眼科検査装置２の制御と、試験データに基づく眼科検査装置９の制御とのいずれか一方又は双方を行うことができる。眼科検査装置２及び眼科検査装置９の双方の制御を行う場合、装置制御部４３２は、眼科検査装置２の制御と眼科検査装置９の制御とを同期させることができる。
【０１５２】
内部検者端末３の制御の例や、外部検者端末５の制御の例や、眼科検査装置２及び眼科検査装置９の同期制御の例など、装置制御部４３２が実行する制御の例については後述する。
【０１５３】
〈通信制御部４３３〉
通信制御部４３３は、被評価者が内部検者端末３に入力した情報（入力情報）を、評価担当者が使用する外部検者端末５に送信するための制御を行う。この制御には、例えば、内部検者端末３から送信された入力情報を受け付ける処理と、受け付けられた入力情報の送信先（外部検者端末５）を特定する処理と、特定された外部検者端末５に入力情報を送信するように通信部４２に指示を送る処理とを含む。
【０１５４】
ここで、外部検者端末５の特定は、例えば、当該評価処理において既に通信が確立されている被評価者側端末（内部検者端末３、眼科検査装置２等）と評価担当者側端末（外部検者端末５、眼科検査装置９等）との組み合わせを参照して実行される。通信制御部４３３が実行する処理の例については後述する。
【０１５５】
〈評価データ生成部４３４〉
評価データ生成部４３４は、試験データ格納部４４に格納されているいずれかの試験データと、通信制御部４３３が内部検者端末３から受け付けた入力情報とに基づいて、当該内部検者端末３を用いて試験を受けた被評価者に関する評価データ（評価結果、評価内容等）を生成する。
【０１５６】
評価データ生成部４３４が実行する処理の例を説明する。
【０１５７】
試験データが試験問題の解答を含む場合、評価データ生成部４３４は、例えば、試験問題の解答と、入力情報に含まれる被評価者の応答内容とを比較することで、この試験問題に対する応答の正誤判定や点数算出を行うことができる。
【０１５８】
試験データが試験問題の解答を含まない場合、評価データ生成部４３４は、例えば、過去に実施された多数の試験の結果を収集して作成されたデータベースを利用することで、試験問題に対する被評価者の応答の正誤判定や点数算出を行うことができる。この場合、評価データ生成部４３４は、人工知能エンジンを含んでよい。
【０１５９】
評価データ生成部４３４は、外部検者端末５を使用する評価担当者により入力されて評価データ記録部５０２に記録された評価データに基づいて、格納用の評価データを作成することができる。この評価データ作成処理は、例えば、外部検者端末５から受けた評価データを格納用フォーマットに変換する処理や、別々に作成された２以上の評価データを合成する処理や、既定の項目のデータを抽出する処理や、既定の項目のデータを除外する処理などを含んでよい。
【０１６０】
〈格納制御部４３５〉
格納制御部４３５は、予め設定された被評価者の識別情報に、評価データ生成部４３４により生成された評価データを関連付けて、評価データ格納部４５に格納する。被評価者（検者）の識別情報は、例えば、この検者に対して事前に割り当てられた検者ＩＤである。被評価者の識別情報と評価データとの関連付けは、例えば、通信確立の結果や、通信プロトコルに含まれる識別情報などを参照して行われる。
【０１６１】
〈検索部４３６〉
評価データ格納部４５に格納されているいずれかの評価データの閲覧要求を管理装置４の通信部４２が受信すると、制御部４０は、この閲覧要求を検索部４３６に送る。検索部４３６は、この閲覧要求に基づいて、評価データ格納部４５から評価データを検索する。
【０１６２】
閲覧要求には、例えば、閲覧対象となる被評価者の検者ＩＤが含まれている。検索部４３６は、閲覧要求に含まれる検者ＩＤを検索クエリとして評価データ格納部４５内を検索し、この検者ＩＤに関連付けられた評価データを取得する。制御部４０は、検索部４３６により取得された評価データを閲覧要求の送信元に送信するように、通信部４２を制御する。
【０１６３】
閲覧要求に対応する評価データを検索部４３６が取得できない場合、制御部４０は、検索エラーを示す情報を閲覧要求の送信元に送信するように、通信部４２を制御する。
【０１６４】
閲覧要求に含まれる検者ＩＤが或るグループＩＤと関連付けられている場合、検索部４３６は、このグループＩＤに関連付けられた１以上の検者ＩＤ（典型的には、閲覧要求に含まれる検者ＩＤを含む）のそれぞれについて、当該検者ＩＤに関連付けられた評価データを評価データ格納部４５から検索することができる。
【０１６５】
閲覧要求にグループＩＤが含まれている場合、検索部４３６は、このグループＩＤに関連付けられた１以上の検者ＩＤのそれぞれについて、当該検者ＩＤに関連付けられた評価データを評価データ格納部４５から検索することができる。
【０１６６】
検索対象の検者ＩＤに関連付けられた複数の評価データが評価データ格納部４５に格納されている場合、検索部４３６は、これら評価データの全てを取得してもよいし、これら評価データのうちのいずれかを選択的に取得してもよい。後者の例として、検索部４３６は、最新の評価データを選択したり、所定期間に得られた評価データを選択したりすることができる。
【０１６７】
検索部４３６は、各種属性に基づいて評価データを検索することができる。属性としては、例えば、検査の種別（評価データの種別）、被評価者の専門度・熟練度、被評価者の使用言語の種別、被評価者の年齢・性別、被評価者の種別（例：評価担当者であるか否か）などがある。
【０１６８】
〈眼科検査装置９の構成〉
外部検者端末５とともに使用可能な眼科検査装置９について説明する。眼科検査装置９は、任意の種別の眼科検査装置であってよい。例えば、様々な種別の眼科検査装置が準備され、被評価者の試験に用いられる眼科検査装置３の種別に応じたものが選択されて眼科検査装置９として使用される。
【０１６９】
眼科検査装置９は、図２に示す眼科検査装置２と同様の構成を備えていてよい。なお、眼科検査装置９は、検査状況情報生成部２２ａ及び通信要求生成部２２ｂのいずれか一方又は双方を備えていなくてよい。
【０１７０】
図６に例示された眼科検査装置９は、制御部９０と、検査部９１と、ユーザインターフェイス（ＵＩ）部９２と、通信部９３とを備える。制御部９０は、出力制御部９０１を含む。ユーザインターフェイス部９２は、表示装置９２１、操作装置９２２、音声出力装置９２３及び音声入力装置９２４を含む。表示装置９２１及び音声出力装置９２３は、出力制御部９０１により制御される。
【０１７１】
検査部９１は、図２に示す検査部２１と同様の構成を備えていてよい。他の例において、眼科検査装置９は、検査部９１を含まなくてよい。この場合において、被評価者の試験を行うとき、眼科検査装置９は、例えば、実際の検査の動作を模したダミー動作を行うことができる。
【０１７２】
〈使用形態〉
本実施形態の眼科システム１の使用形態の典型的な例を説明する。
【０１７３】
まず、眼科システム１の使用形態の例として、被検者が検者にアシストを要求するための処理を説明する。本例では図７を参照する。
【０１７４】
（Ｓ１：検査開始）
複数の眼科検査装置２−ｉｎのいずれかである眼科検査装置２を用いた被検眼Ｅの検査が開始される。なお、眼科検査装置２と１以上の検者端末（内部検者端末３及び／又は外部検者端末５）との間の通信（一方向通信又は双方向通信）をこの段階から開始するようにしてもよい。また、検査の開始を受けて、眼科検査装置２の制御部２０は、検査状況情報生成部２２ａに検査状況情報の生成を開始させる。
【０１７５】
（Ｓ２：検者呼び出し要求）
被検者は、検者のアシストが必要なとき、ユーザインターフェイス部２３を利用して検者を呼び出す。検者のアシストが必要なときの例として、検査のやり方が分からないとき、使用言語を理解できないとき、疲れたとき、検査のステップを戻したいときなどがある。また、呼び出し要求を入力するためのユーザインターフェイス部２３の利用方法の例として、操作装置２３２による所定の操作の実施や、音声入力装置２３４による音声の入力がある。
【０１７６】
（Ｓ３：要求・情報の送信）
制御部２０は、ステップＳ２で入力された検者呼び出し要求（通信要求）を所定の情報とともに管理装置４に送信するよう通信部２４を制御する。検者呼び出し要求とともに送信される情報の例として、眼科検査装置２に予め割り当てられた識別情報（装置ＩＤ）、被検者に予め割り当てられた識別情報（被検者ＩＤ）、眼科検査装置２が設置された施設に予め割り当てられた識別情報（施設ＩＤ）、現時点までに生成された検査状況情報の少なくとも一部、検者呼び出し要求の内容などがある。
【０１７７】
（Ｓ４：検者端末の選択）
管理装置４は、ステップＳ３で眼科検査装置２から送信された検者呼び出し要求及び情報を通信部４２によって受信する。選択部４１２は、当該被検者をアシストする検者を選択する。つまり、選択部４１２は、当該被検者が検査を行っている施設に設置された内部検者端末３、他の施設に設置された内部検者端末３、及び、外部検者端末５のうち、少なくとも１つを選択する。
【０１７８】
典型的な例では、当該被検者が検査を行っている施設に設置された内部検者端末３と眼科検査装置２とはステップＳ１の段階で通信が開始されており、ステップＳ４の段階では、当該内部検者端末３と異なる１以上の検者端末（同施設又は他施設に設置された内部検者端末３、及び／又は、外部検者端末５）が選択される。
【０１７９】
検者端末を選択する処理の例を説明する。選択部４１２は、例えば、それぞれの検者端末（内部検者端末３、各外部検者端末５）の稼動状態（通信の確立情報）を監視する機能を備えていてよい。選択部４１２は、この監視機能により、現在稼働していない検者端末（アシストを現在行っていない検者、アシストを行っているが余裕のある検者、アシストの予約が入っていない検者など）のいずれかを選択することができる。それにより、他の被検者に対するアシストを現在行っていない検者を、呼び出し要求を送った被検者のアシストに割り当てることができる。
【０１８０】
なお、上記監視機能は、例えば、定期的又は非定期的に検者端末から入力される情報や、検者端末に送信した情報に対する反応などに基づいて、各検者端末の稼動状態をフラグ等で管理することにより実現可能である。
【０１８１】
他の例において、選択部４１２は、内部検者端末３及び外部検者端末５を含む複数の検者端末のうち、通信要求に対応する検者端末について、通信が現に確立されているか否か判定することができる。当該検者端末の通信が確立されていない場合、選択部４１２は、当該検者端末と眼科検査装置２との間の通信を確立することができる。他方、当該検者端末の通信が既に確立されている場合、選択部４１２は、他の検者端末と眼科検査装置２との間の通信を確立することができる。
【０１８２】
具体例を説明する。当該施設内の全ての内部検者端末３が稼働中である場合、つまり、当該施設内の内部検者端末３のそれぞれと、他の眼科検査装置２及び／又は外部検者端末５との間の通信が確立されている場合、選択部４１２は、例えば、他施設内に設置された内部検者端末３及び／又は外部検者端末５のうち、稼働中でない検者端末のいずれかを選択することができる。
【０１８３】
他方、当該施設内のいずれかの内部検者端末３が稼働中でない場合、選択部４１２は、稼働中でない内部検者端末３のいずれかを選択することができる。
【０１８４】
本例によれば、複数の検者端末の稼働状態を総合的に勘案することで、被検者へのアシストを迅速に提供することができる。なお、本例についても、例えば、各検者端末の稼動状態をフラグ等により管理することで実現される。
【０１８５】
（Ｓ５：通信確立のための制御信号の送信）
通信制御部４０１は、ステップＳ４で選択された検者端末のそれぞれに、当該検者端末と眼科検査装置２との間の通信を確立するための制御信号を送信する。図７の例において、検者端末は、内部検者端末３又は外部検者端末５であってよい。
【０１８６】
（Ｓ６：双方向通信の開始）
ステップＳ５で送信された制御信号により、検者端末と眼科検査装置２との間の双方向通信が確立される。このとき、更に、２以上の検者端末の間の通信を確立することもできる。なお、前述したように、これ以前の段階で通信を確立するように構成してもよい。
【０１８７】
（Ｓ７：撮影開始）
ステップＳ５で眼科検査装置２と外部検者端末５との間の通信が確立された場合、管理装置４の転送制御部４０２は、ステップＳ３で眼科検査装置２から送信された情報をこの外部検者端末５に送る。外部検者端末５の制御部５０は、撮影部５１を制御して検者の動画撮影を開始させる。このとき、検者が発する音声の入力も開始される。撮影部５１により逐次に取得されるフレームは、リアルタイムで管理装置４を介して眼科検査装置２に転送される。この処理は転送制御部４０２によって実行される。
【０１８８】
ステップＳ５で眼科検査装置２と内部検者端末３との間の通信が確立された場合においても、同様の撮影を行うことができる。例えば、眼科検査装置２と他施設に設置された内部検者端末３との間の通信が確立された場合であって、この内部検者端末３が撮影部（図４に示す撮影部５１と同様の構成を有する）を備えている場合、同様の処理を実行することができる。具体例において、管理装置４の転送制御部４０２は、ステップＳ３で眼科検査装置２から送信された情報をこの内部検者端末３に送る。内部検者端末３の制御部３０は、図示しない撮影部を制御して検者の動画撮影を開始させる。このとき、検者が発する音声の入力も開始される。撮影部により逐次に取得されるフレームは、リアルタイムで管理装置４を介して眼科検査装置２に転送される。この処理は転送制御部４０２によって実行される。
【０１８９】
ステップＳ４で選択された２以上の検者端末の間の通信が確立された場合においても、同様の撮影を行うことができる。例えば、眼科検査装置２と同じ施設に設置された内部検者端末３と、外部検者端末５（又は他施設に設置された内部検者端末３）との間の通信が確立された場合、同様の処理を実行することができる。具体例において、外部検者端末５の制御部５０は、撮影部５１を制御して検者の動画撮影を開始させる。このとき、検者が発する音声の入力も開始される。撮影部５１により逐次に取得されるフレームは、リアルタイムで管理装置４を介して内部検者端末３に転送される。この処理は転送制御部４０２によって実行される。
【０１９０】
（Ｓ８：動画表示・音声出力の開始）
眼科検査装置２は、外部検者端末５（及び／又は内部検者端末３）から逐次に送信されるフレーム及び音声情報を受信する。出力制御部２０１は、逐次に受信されるフレームをＬＣＤ２１４にリアルタイムで表示させる。それにより、検者の動画像がリアルタイムで表示される。また、出力制御部２０１は、逐次に受信される音声情報を音声出力装置２３３にリアルタイムで出力させる。それにより、検者の音声がリアルタイムで出力される。
【０１９１】
このような連係動作により、被検者は、検者の顔や身振り手振りや音声をリアルタイムで把握することができる。逆に、検者も、被検者の音声や操作をリアルタイムで把握することができる。このような双方向の情報のやりとりは、主として管理装置４の転送制御部４０２によって実現される。
【０１９２】
同様に、ステップＳ４で選択された２以上の検者端末の間の通信が確立された場合、２以上の検者端末のうちの一の検者端末は、他の検者端末から逐次に送信されるフレーム及び音声情報を受信する。典型例では、眼科検査装置２と同じ施設に設置された内部検者端末３が「一の検者端末」であり、外部検者端末５又は他施設に設置された内部検者端末３が「他の検者端末」である。この場合、眼科検査装置２と同じ施設に設置された内部検者端末３の制御部３０は、外部検者端末５（又は他施設に設置された内部検者端末３）から逐次に受信されるフレームを表示装置３１１にリアルタイムで表示させる。それにより、外部検者端末５（又は他施設に設置された内部検者端末３）を使用する検者の動画像がリアルタイムで表示される。また、制御部３０は、外部検者端末５（又は他施設に設置された内部検者端末３）から逐次に受信される音声情報を音声出力装置３１３にリアルタイムで出力させる。それにより、外部検者端末５（又は他施設に設置された内部検者端末３）を使用する検者の音声がリアルタイムで出力される。
【０１９３】
このような連係動作により、他の検者のサポートを受けたい検者に対してリアルタイムでサポートを提供することができる。このような双方向の情報のやりとりは、主として管理装置４の転送制御部４０２によって実現される。
【０１９４】
（Ｓ９：情報の表示開始）
検者によるアシスト作業を容易化するために、検者端末（内部検者端末３、外部検者端末５等）の制御部（制御部３０、５０等）は、前述した画面（ＧＵＩ等）を表示装置（表示装置３１１、５２１等）に表示させる。更に、検者端末（内部検者端末３、外部検者端末５等）の制御部（制御部３０、５０等）は、眼科検査装置２から管理装置４を介して転送された情報（特に検査状況情報）をこの画面に表示させることができる。新たな検査状況情報を受けると、制御部（制御部３０、５０等）は表示内容を更新する。それにより、検者は、眼科検査装置２を用いて行われている検査の状況を実質的にリアルタイムで把握することができ、視覚情報や音声情報を利用して適切なタイミングで適切なアシストを提供することができる。
【０１９５】
（Ｓ１０：指示の入力開始）
検者は、操作装置（操作装置３１２、５２２等）及びＧＵＩ等を利用して、所望の指示を入力する。指示の内容の例として、検査の変更、文字列情報の提示、画像情報の提示などがある。また、ＧＵＩ以外の手段を利用した指示として、身振り手振りによる指示や、音声による指示などがある。
【０１９６】
（Ｓ１１：情報の生成開始）
外部検者端末５の送信情報生成部５３は、ステップＳ１０で入力された内容（指示）に基づいて、被検者に向けた送信情報を生成する。送信情報の生成は、例えば、検者が指示の入力を行う度に実行される。
【０１９７】
また、内部検者端末３の送信情報生成部３２は、ステップＳ１０で入力された内容（指示）に基づいて、被検者に向けた送信情報を生成する。送信情報の生成は、例えば、検者が指示の入力を行う度に実行される。
【０１９８】
ステップＳ４で選択された２以上の検者端末の間の通信が確立された場合、外部検者端末５の送信情報生成部５３は、他の検者端末に向けた送信情報を生成することができる。同様に、内部検者端末３の送信情報生成部３２は、他の検者端末に向けた送信情報を生成することができる。
【０１９９】
（Ｓ１２：情報の送信開始）
検者端末（外部検者端末５、内部検者端末３）は、ステップＳ１１で生成された送信情報を管理装置４を介して眼科検査装置２に送信する。この処理は転送制御部４０２によって実現される。
【０２００】
同様に、ステップＳ４で選択された２以上の検者端末の間の通信が確立された場合、一の検者端末は、ステップＳ１１で生成された送信情報を管理装置４を介して他の検者端末に送信する。この処理は転送制御部４０２によって実現される。
【０２０１】
（Ｓ１３：アシスト開始）
眼科検査装置２は、ステップＳ１２で検者端末から送信された送信情報を受信する。出力制御部２０１は、送信情報に基づいて、検者の動画像や指示をＬＣＤ２１４に表示させる。
【０２０２】
同様に、ステップＳ１２で一の検者端末から他の検者端末に送信情報が送信された場合、他の検者端末は、一の検者端末から送信された送信情報を受信し、この送信情報に基づいてメッセージを表示する。
【０２０３】
このように、眼科システム１では、検者のアシストを受けつつ眼科検査を行うことができる。眼科検査により取得されたデータ（検査データ）は、所定のデータベース（電子カルテシステム、画像アーカイビングシステムなど）に格納される。眼科システム１は、このデータベースにアクセスすることが可能である。或いは、眼科システム１は、このデータベースを含んでいてもよい。
【０２０４】
次に、眼科システム１の使用形態の例として、検者の評価のための各種動作について説明する。以下、ピンホール検査を含む自覚測定に関する使用形態の例と、レッドグリーン検査に関する使用形態の例とを説明する。
【０２０５】
〈自覚測定に関する使用形態〉
自覚測定（自覚的屈折検査）は、事前に実施された他覚測定で取得された屈折力値（他覚測定値）を起点として、順次に提示される視標に対する被検者の応答に基づき矯正値を求める眼科検査である。ピンホール検査は、自覚測定において、屈折矯正が正しく行われたかの判断や、散瞳後の視力矯正において実施される。
【０２０６】
まず、試験データの作成について説明する。試験データは、例えば、眼科検査に熟練した者（医師、オプトメトリスト等）によって作成される。本例では、外部検者端末５を用いて試験データを作成することができる。なお、前述のように、試験データを自動又は半自動で生成することも可能である。
【０２０７】
管理装置４の試験データ作成部４３１は、過去に取得された検査データを外部検者端末５に送信する。更に、試験データ作成部４３１は、試験データを作成するための試験データ作成画面を外部検者端末５に表示させるための制御を行う。外部検者端末５の出力制御部５０１は、試験データ作成画面を表示装置５２１に表示させ、且つ、検査データを試験データ作成画面に表示させる。外部検者端末５のユーザは、検査データを参照しつつ、操作装置５２２を用いて試験データを作成する。作成された試験データは管理装置４に送られて試験データ格納部４４に格納される。
【０２０８】
このようにして作成される試験データには、例えば次のような情報が含まれる：試験データＩＤ、試験データ作成日、試験データ作成者の情報、被検者情報（年齢、性別等）、外部的矯正器具（眼鏡、コンタクトレンズ等）の有無、眼内レンズの有無、検査履歴の有無、所見データ、傷病の有無、検査データ。試験データに含まれる検査データの例として、他覚測定で検出されたパターン像（リング像、ハルトマン像等）、自覚測定で得られた球面度数・乱視度数・乱視軸角度、最終処方値などがある。
【０２０９】
試験データに含まれる検査データは、試験データの作成において参照された検査データと同じでもよいし、試験データの作成において参照された検査データを加工して得られたデータでもよい。
【０２１０】
また、試験データに含まれる項目の詳細設定を行うことができる。例えば、片眼視力検査についての試験データにおいて、他覚測定値の矯正レンズが適用されているときの被検眼の視力値が０．７以上であるか、又は０．７未満（０．６３以下）であるかを設定することができる。この視力値は、ピンホール検査を行うか否かの判断において使用される。
【０２１１】
このような試験データの例を図８Ａに示す。図８Ａに示す試験データ１０Ａでは、他覚測定値の矯正レンズが適用されているときの右眼の視力値が０．６３以下に設定されている。試験データ１０Ａは、図８Ａに示す情報に加え、自覚検査の項目、項目の順序、正解手順などを含んでいてもよい。自覚検査の正解手順の例を図９に示す。
【０２１２】
試験データの他の例を図８Ｂに示す。図８Ｂに示す試験データ１０Ｂは、図８Ａに示す試験データ１０Ａと同じ情報を含む。更に、試験データ１０Ｂは、詳細設定の項目に、右眼の視力検査において視力が０．６３以下であることが把握された後の工程において被評価者に提示される質問の内容「次はどうしますか？」が設定されている。
【０２１３】
このような試験データ１０Ａ又は１０Ｂを用いた試験において評価担当者が使用する画面の例を図１０に示す。画面１０００には、提示情報表示領域１０１０Ｌ及び１０１０Ｒと、被検者入力情報表示領域１０２１と、試験官入力情報表示領域１０２２と、検者入力情報表示領域１０２３と、検者操作情報表示領域１０２４と、検査情報表示領域１０４０と、提示情報操作領域１０５０とが設けられている。
【０２１４】
提示情報表示領域１０１０Ｌ及び１０１０Ｒには、それぞれ、（仮想的な又は実際の）被検者の左眼及び右眼に対して眼科検査装置２が提示している情報が表示される。本例では、視力値０．５に対応するアルファベット視標群と、視力値０．６に対応するアルファベット視標群と、視力値０．７に対応するアルファベット視標群とが、被検者の右眼に提示されている。ピンホール検査が行われているときには、ピンホール板の形態を示すピンホール画像ＰＨが、アルファベット視標群とともに表示される。提示情報表示領域１０１０Ｌ及び１０１０Ｒに表示される情報は、例えば、試験データに基づいて、又は、評価担当者の指示に基づいて選択される。
【０２１５】
なお、眼科検査装置２は、被検者の左右両眼に同時に情報を提示可能に構成されていてよい。この場合、眼科検査装置２には、例えば、左眼用の検査光学系及び情報提示光学系と、右眼用の検査光学系及び情報提示光学系とが互いに独立に設けられている（例えば、左眼用光学ヘッドと右眼用光学ヘッドとが設けられている）。
【０２１６】
他の例として、眼科検査装置２は、単一の検査光学系からの光束を二分割し、一方を左眼に、他方を右眼にそれぞれ導くように構成されていてもよい。
【０２１７】
更に他の例として、眼科検査装置２は、単一の情報提示光学系からの光束を二分割し、一方を左眼に、他方を右眼にそれぞれ導くように構成されていてもよい。左右両眼に同時に情報を提示可能な構成はこれらに限定されず、任意の構成であってよい。
【０２１８】
被検者入力情報表示領域１０２１には、被検者が入力した情報が表示される。図１０に示す例では、視力値０．５に対応するアルファベット視標群「Ｇ，Ｐ，Ｙ，Ａ，Ｗ」を視認したこと、視力値０．６に対応する視標群を視認できなかったこと、及び、視力値０．７に対応する視標群を視認できなかったこと、が提示されている。被検者入力情報表示領域１０２１には、例えば、試験データに基づいて、又は、評価担当者の指示に基づいて、情報が表示される。なお、被検者入力情報表示領域１０２１に視覚的に提示される情報に加え、音声出力装置５２３に同様の情報を出力させることができる。
【０２１９】
試験官入力情報表示領域１０２２には、試験官（評価担当者）が入力した情報が表示される。図１０に示す例では、被検者入力情報表示領域１０２１に提示された状況において、どのような操作や指示を次に行うべきか検者（被評価者）に考えさせるためのメッセージ（質問）が提示されている。試験官入力情報表示領域１０２２には、例えば、試験データに基づいて、又は、評価担当者の指示に基づいて、情報が表示される。例えば、図８Ａに示す試験データ１０Ａが使用される場合には、評価担当者の指示入力に基づいてメッセージが表示される。これに対し、図８Ｂに示す試験データ１０Ｂが使用される場合には、眼科システム１（例えば、内部検者端末３、外部検者端末５、及び管理装置４のうちのいずれか１つ又はいずれか２以上の組み合わせ）が試験データ１０Ｂに基づき自動でメッセージを表示させる。なお、試験官入力情報表示領域１０２２に視覚的に提示される情報に加え、音声出力装置５２３に同様の情報を出力させることができる。
【０２２０】
検者入力情報表示領域１０２３には、検者（被評価者）が入力した情報が表示される。図１０に示す例では、試験官入力情報表示領域１０２２に提示されたメッセージに対する検者の応答の内容（質問への回答）が提示されている。なお、検者入力情報表示領域１０２３に視覚的に提示される情報に加え、音声出力装置５２３に同様の情報を出力させることができる。
【０２２１】
検者操作情報表示領域１０２４には、眼科検査装置２に対して検者（被評価者）が行った操作の内容が提示される。図１０に示す例では、ピンホール検査が開始されたこと（例えば、ピンホール板を光路に挿入するための操作が行われたこと）が提示されている。
【０２２２】
検査情報表示領域１０４０には、検者（被評価者）が行っている検査に関する情報が提示される。図１０に示す例では、測定データ表示部１０４１と、顔画像表示部１０４２と、被検眼画像表示部１０４３Ｌ及び１０４３Ｒとが、検査情報表示領域１０４０に設けられている。
【０２２３】
測定データ表示部１０４１には、被検者の各眼の測定値（屈折度、乱視度、乱視軸角度、加入度等）等、各種測定データが表示される。この測定データは、例えば、図８Ａに示す試験データ１０Ａ又は図８Ｂに示す試験データ１０Ｂに含まれる検査データに相当する。
【０２２４】
眼画像表示部１０４２には、検者（被評価者）の顔画像、又は被検者の顔画像が表示される。検者の顔画像は、例えば、内部検者端末３により取得される。この場合、内部検者端末３は、外部検者端末５の撮影部５１と同様の要素を含む。被検者の顔画像は、例えば、実際の被検者を眼科検査装置２により撮影して得られた画像でもよいし、試験データに含まれていてもよい。
【０２２５】
被検眼画像表示部１０４３Ｌには左被検眼の前眼部像が表示され、且つ、被検眼画像表示部１０４３Ｒには右被検眼の前眼部像が表示される。これら前眼部像は、例えば、実際の被検眼を眼科検査装置２により撮影して得られた画像でもよいし、試験データに含まれていてもよい。
【０２２６】
更に、氏名、年齢、性別、疾患名、使用言語、検査困難度、所属グループなど、検者（被評価者）や被検者に関する任意の情報を、検査情報表示領域１０４０に提示することも可能である。
【０２２７】
提示情報操作領域１０５０には、検者（被評価者）や被検者に提示される情報を操作するためのＧＵＩ（ソフトウェアキー等）が設けられている。図１０に示す例では、視標選択操作部１０５１と、選択視標提示部１０５２と、操作ダイヤル１０５３とが設けられている。
【０２２８】
視標選択操作部１０５１は、視標を選択するためのＧＵＩである。本例の視標選択操作部１０５１には、視標の選択肢（例：リスト、サムネイル等）が提示される。選択視標提示部１０５２には、現在選択されている視標が提示される。操作ダイヤル１０５３は、視標の選択、度数等のパラメータの設定などに用いられる。外部検者端末５を使用する評価担当者は、操作装置５２２を用いることで、提示情報操作領域１０５０に設けられたソフトウェアキー等を操作する。また、評価担当者は、キーボード等の入力デバイスを用いて、検者（被評価者）に提供されるメッセージ等を入力することができる。また、評価担当者は、音声入力装置５２４を介して、検者（被評価者）に提供される音声メッセージを入力することができる。
【０２２９】
〈レッドグリーン検査に関する使用形態〉
レッドグリーン検査は、色収差を利用して、矯正レンズの度数が適性であるか否か確認するために実施される眼科検査である。レッドグリーン検査のための試験データは、例えば、自覚検査のための試験データと同様にして作成される。
【０２３０】
この試験データの例を図１１Ａに示す。図１１Ａに示す試験データ１１Ａでは、右眼のレッドグリーン検査において調節が介入するように設定されている。試験データ１１Ａは、図１１Ａに示す情報に加え、レッドグリーン検査の正解手順などを含んでいてもよい。レッドグリーン検査の正解手順の例を図１２Ａ〜１２Ｃに示す。この正解手順は、特開２００４−２７５５９０号公報に開示されたレッドグリーン検査の手順である。
【０２３１】
試験データの他の例を図１１Ｂに示す。図１１Ｂに示す試験データ１１Ｂは、図１１Ａに示す試験データ１１Ａと同じ情報を含む。更に、試験データ１１Ｂは、詳細設定の項目に、右眼のレッドグリーン検査において調節が介入することが把握された後の工程において被評価者に提示される質問の内容「次はどうしますか？」が設定されている。
【０２３２】
このような試験データ１１Ａ又は１１Ｂを用いた試験において評価担当者が使用する画面の例を図１３に示す。図１３に示す画面１０００のフォーマットは、図１０に示す画面１０００のそれと同じである。本例では、レッドグリーン検査で使用される視標（レッドグリーン視標）が、被検者の右眼に提示されている。
【０２３３】
本例の被検者入力情報表示領域１０２１には、レッドグリーン検査において被検者が入力した情報として、文字列「緑の方がはっきり見えます。」が提示されている。この文字列情報は、例えば、試験データに基づいて、又は、評価担当者の指示に基づいて表示される。このような文字列情報に加えて、音声出力装置５２３に同様の情報を出力させることができる。
【０２３４】
本例の試験官入力情報表示領域１０２２には、被検者入力情報表示領域１０２１に提示された状況において、どのような操作や指示を次に行うべきか検者（被評価者）に考えさせるためのメッセージ（質問）が提示されている。このメッセージは、例えば、試験データに基づいて、又は、評価担当者の指示に基づいて表示される。例えば、図１１Ａに示す試験データ１１Ａが使用される場合には、評価担当者の指示入力に基づいてメッセージが表示される。これに対し、図１１Ｂに示す試験データ１１Ｂが使用される場合には、眼科システム１（例えば、内部検者端末３、外部検者端末５、及び管理装置４のうちのいずれか１つ又はいずれか２以上の組み合わせ）が試験データ１１Ｂに基づき自動でメッセージを表示させる。このようなメッセージに加えて、音声出力装置５２３に同様の情報を出力させることができる。
【０２３５】
本例の検者入力情報表示領域１０２３には、試験官入力情報表示領域１０２２に提示されたメッセージに対する検者の応答の内容（質問への回答）が提示されている。このような情報に加えて、音声出力装置５２３に同様の情報を出力させることができる。
【０２３６】
本例の検者操作情報表示領域１０２４には、＋０．５０ディオプタを加える操作が行われたことが提示されている。
【０２３７】
〈試験・評価に関する使用形態〉
内部検者端末３及び外部検者端末５を用いて行われる試験及び評価に関する使用形態を説明する。本例では、検者（被評価者）は内部検者端末３を使用し、評価担当者は外部検者端末５を使用するが、これに限定されない。
【０２３８】
検者は、内部検者端末３とともに眼科検査装置２を使用してもよい。試験が行われるとき、眼科検査装置２は、実際の被検者の検査を行ってもよいし、ダミー動作を行ってもよい。
【０２３９】
評価担当者は、外部検者端末５とともに眼科検査装置９を使用してもよい。試験が行われるとき、眼科検査装置９は、実際の被検者の検査を行ってもよいし、ダミー動作を行ってもよい。
【０２４０】
詳細については後述するが、眼科検査装置２及び眼科検査装置９の双方が試験において使用される場合、眼科システム１は、眼科検査装置２の動作と眼科検査装置９の動作とを同期させることができる。
【０２４１】
本例では、試験データは予め作成され、管理装置４の試験データ格納部４４に格納されているものとする。
【０２４２】
（Ｓ２０ａ、Ｓ２０ｂ：試験開始を要求）
まず、内部検者端末３又は外部検者端末５に試験開始の要求が入力される。内部検者端末３への試験開始の要求の入力は、検者（被評価者）がユーザインターフェイス部３１を用いることにより行われる。外部検者端末５への試験開始の要求の入力は、評価担当者がユーザインターフェイス部５２を用いることにより行われる。
【０２４３】
（Ｓ２１：双方向通信を確立）
ステップＳ２０ａ又はステップＳ２０ｂにおいて内部検者端末３又は外部検者端末５に入力された試験開始の要求は、管理装置４に送られる。管理装置４の通信確立部４１は、前述の要領で、内部検者端末３と外部検者端末５との間の双方向通信を確立する。内部検者端末３と外部検者端末５との組み合わせは、例えば、予め設定されている。或いは、検者が評価担当者を指定することや、評価担当者が検者を指定することが可能である。眼科検査装置２及び／又は眼科検査装置９が使用される場合、通信確立部４１は、例えば、内部検者端末３、外部検者端末５、並びに、眼科検査装置２及び／又は眼科検査装置９の間における双方向通信を確立する。試験を監視する者がいる場合、この者が使用するコンピュータに対する通信も確立される。
【０２４４】
（Ｓ２２：試験データを送信）
試験開始の要求には、例えば、試験において実施される検査の種別を示す情報（検査種別情報、試験種別情報）が含まれている。管理装置４の評価処理部４３（例えば、通信制御部４３３）は、検査種別情報又は試験種別情報に対応する試験データを、試験データ格納部４４から取得する。更に、評価処理部４３は、取得された試験データを、ステップＳ２１で双方向通信が確立された内部検者端末３及び外部検者端末５に送信する。眼科検査装置２及び／又は眼科検査装置９が使用される場合、評価処理部４３は、眼科検査装置２及び／又は眼科検査装置９にも試験データを送信する。
【０２４５】
（Ｓ２３：試験画面を表示）
外部検者端末５の通信部５４は、ステップＳ２２で管理装置４から送信された試験データを受信する。出力制御部５０１は、受信された試験データに基づいて、試験のための画面（試験画面）を表示装置５２１に表示させる。この試験画面は、例えば、図１０や図１３に示す画面１０００である。同様の試験画面を内部検者端末３が表示するようにしてもよい。
【０２４６】
内部検者端末３（及び眼科検査装置２）は、試験データ等に基づいて試験を開始する。内部検者端末３の制御は、例えば、内部検者端末３の制御部３０によって、又は、内部検者端末３の制御部３０と管理装置４の装置制御部４３２との協働によって、実行される。また、眼科検査装置２の制御は、例えば、眼科検査装置２の制御部２０によって、又は、眼科検査装置２の制御部２０と管理装置４の装置制御部４３２との協働によって、実行される。
【０２４７】
外部検者端末５（及び眼科検査装置９）は、試験データ等に基づいて試験を開始する。外部検者端末５の制御は、例えば、外部検者端末５の制御部５０によって、又は、外部検者端末５の制御部５０と管理装置４の装置制御部４３２との協働によって、実行される。また、眼科検査装置９の制御は、例えば、眼科検査装置９の制御部９０によって、又は、眼科検査装置９の制御部９０と管理装置４の装置制御部４３２との協働によって、実行される。
【０２４８】
装置制御部４３２は、被評価者側端末（内部検者端末３、又は、内部検者端末３及び眼科検査装置２）の制御と、評価担当者側端末（外部検者端末５、又は、外部検者端末５及び眼科検査装置９）の制御とを同期させることができる。この同期制御は、例えば、装置制御部４３２が被評価者側端末及び評価担当者側端末をリアルタイムで監視し、これらに対して実質的に同じ指示を実質的に同じタイミングで送信することによって実現される。
【０２４９】
内部検者端末３（及び／又は眼科検査装置２）から管理装置４に情報が入力されると、管理装置４（通信制御部４３３等）は、この情報の少なくとも一部を外部検者端末５（及び／又は眼科検査装置９）に送る。外部検者端末５（及び／又は眼科検査装置９）は、管理装置４から送信された情報に基づいて動作する。例えば、外部検者端末５は、管理装置４から送信された情報を試験画面に表示することができる。また、外部検者端末５は、管理装置４から送信された情報に基づく音声情報を出力することができる。このような一連の処理はリアルタイムで実行される。
【０２５０】
外部検者端末５（及び／又は眼科検査装置９）から管理装置４に情報が入力されると、管理装置４（通信制御部４３３等）は、この情報の少なくとも一部を内部検者端末３（及び／又は眼科検査装置２）に送る。内部検者端末３（及び／又は眼科検査装置２）は、管理装置４から送信された情報に基づいて動作する。このような一連の処理はリアルタイムで実行される。
【０２５１】
（Ｓ２４：質問等を受け付け）
評価担当者は、試験画面等を参照することにより、被評価者の試験の進行を把握し、所望のタイミングで所望の質問等を入力する。質問等の入力は、ユーザインターフェイス部５２（操作装置５２２等）を用いて行われる。制御部５０は、通信部５４を制御することで、入力された質問等を管理装置４に送信する。管理装置４の通信制御部４３３は、外部検者端末５から送信された質問等を内部検者端末３に転送する。
【０２５２】
（Ｓ２５：質問等を出力）
内部検者端末３は、管理装置４により転送された質問等を出力する。例えば、内部検者端末３は、質問等を表す文字列情報を表示装置３１１に表示することができる。また、内部検者端末３は、質問等を表す音声情報を音声出力装置３１３から出力することも可能である。
【０２５３】
ここで、図８Ａに示す試験データ１０Ａが使用される場合、図１０に示す画面１０００の試験官入力情報表示領域１０２２に提示されている質問「次はどうしますか？」は、評価担当者の指示入力に応じて表示される。同様に、図１１Ａに示す試験データ１１Ａが使用される場合、図１３に示す画面１０００の試験官入力情報表示領域１０２２に提示されている質問「次はどうしますか？」は、評価担当者の指示入力に応じて表示される。
【０２５４】
これに対し、図８Ｂに示す試験データ１０Ｂが使用される場合、図１０に示す画面１０００の試験官入力情報表示領域１０２２に提示されている質問「次はどうしますか？」は、試験データ１０Ｂにしたがって自動で表示される。同様に、図１１Ｂに示す試験データ１１Ｂが使用される場合、図１３に示す画面１０００の試験官入力情報表示領域１０２２に提示されている質問「次はどうしますか？」は、試験データ１１Ｂにしたがって自動で表示される。
【０２５５】
（Ｓ２６：回答・操作を受け付け）
被評価者は、ステップＳ２５で出力された質問等を確認し、それに対する回答を入力する。回答の入力は、ユーザインターフェイス部３１（操作装置３１２等）を用いて行われる。また、被評価者は、この質問等に応じて眼科検査装置２を操作する。制御部３０は、通信部３３を制御することで、入力された回答を管理装置４に送信する。眼科検査装置２の操作が行われた場合、制御部２０は、通信部２４を制御することで、この操作の内容を表す情報（操作内容情報）を管理装置４に送信する。管理装置４の通信制御部４３３は、内部検者端末３から送信された回答や、眼科検査装置２から送信された操作内容情報を外部検者端末５に転送する。
【０２５６】
（Ｓ２７：回答・操作内容を出力）
外部検者端末５は、管理装置４により転送された回答や操作内容情報を出力する。例えば、外部検者端末５の出力制御部５０１は、図１０等に示す画面１０００（試験画面）の検者入力情報表示領域１０２３に、回答を表す文字列情報を表示することができる。また、出力制御部５０１は、検者操作情報表示領域１０２４に操作内容情報に基づく文字列情報を表示することができる。更に、出力制御部５０１は、回答に基づく音声情報や、操作内容情報に基づく音声情報を、音声出力装置５２３に出力させることができる。
【０２５７】
（Ｓ２８：評価内容を受け付け）
評価担当者は、ステップＳ２７で出力された回答や操作内容情報を参照して、評価内容を入力する。評価内容の入力は、ユーザインターフェイス部５２（操作装置５２２等）を用いて行われる。
【０２５８】
（Ｓ２９：評価データを記録）
評価データ記録部５０２は、ステップＳ２８で入力された評価内容に基づく評価データを記録する。
【０２５９】
なお、管理装置４の評価データ生成部４３４が評価データを生成するようにしてもよい。この場合、評価データ生成部４３４は、ステップＳ２２で選択された試験データ、ステップＳ２４で外部検者端末５から入力された質問等、ステップＳ２６で内部検者端末３から入力された回答、ステップＳ２６で眼科検査装置２から入力された操作内容情報などに基づいて、評価データを生成することができる。
【０２６０】
（Ｓ３０：試験終了？）
試験が終了するまで、ステップＳ２４〜ステップＳ２９の処理が繰り返される（Ｓ３０：Ｎｏ）。試験が終了すると（Ｓ３０：Ｙｅｓ）、処理はステップＳ３１に移行する。
【０２６１】
（Ｓ３１：評価データを送信）
試験が終了すると（Ｓ３０：Ｙｅｓ）、外部検者端末５は、評価データ記録部５０２に蓄積された評価データを、通信部５４を介して管理装置４に送信する。
【０２６２】
（Ｓ３２：評価データを格納）
管理装置４は、ステップＳ３１で外部検者端末５から送信された評価データを、通信部４２を介して受信する。評価データ生成部４３４は、例えば、受信された評価データのフォーマットを変換する。格納制御部４３５は、この評価データを被評価者の識別情報に関連付けて、評価データ格納部４５に格納する。以上で、試験・評価は終了となる。
【０２６３】
このようにして評価データ格納部４５に格納された評価データを閲覧することが可能である。評価データの閲覧要求を管理装置４が受信すると、検索部４３６は、この閲覧要求に基づいて、評価データ格納部４５から評価データを検索する。管理装置４は、検索された評価データを、閲覧要求の送信元に返信する。
【０２６４】
評価データ格納部４５に格納される情報は、評価データに限定されない。例えば、格納制御部４３５は、次のいずれかの情報を、被評価者の識別情報に関連付けて評価データ格納部４５に格納することができる：ステップＳ２２で選択された試験データ；ステップＳ２４で外部検者端末５から管理装置４に入力された質問等；ステップＳ２６で内部検者端末３から管理装置４に入力された回答；ステップＳ２６で眼科検査装置２から管理装置４に入力された操作内容情報。
【０２６５】
前述したように、試験において眼科検査装置２及び眼科検査装置９の双方が使用される場合、装置制御部４３２は、眼科検査装置２と眼科検査装置９とを同期的に制御することができる。例えば、被評価者が眼科検査装置２を操作すると、対応する操作内容情報が眼科検査装置２から管理装置４にリアルタイムで送信される。装置制御部４３２は、この操作内容情報に基づいて眼科検査装置９をリアルタイムで制御する。この制御は、眼科検査装置２と同じ動作（又は類似の動作）を眼科検査装置９に実行させるものである。この制御は、例えば、操作内容情報を眼科検査装置９に転送する処理や、操作内容情報に基づき制御信号を生成する処理を含む。
【０２６６】
〈作用・効果〉
実施形態に係る眼科システムの作用及び効果について説明する。
【０２６７】
実施形態に係る眼科システムは、被評価者が使用する第１装置と評価者が使用する第２装置とを含む。例示的な眼科システム１においては、第１装置は、例えば、内部検者端末３及び眼科検査装置２のいずれか一方又は双方を含む。また、第２装置は、例えば、外部検者端末５及び眼科検査装置９のいずれか一方又は双方を含む。
【０２６８】
なお、第１装置は、外部検者端末５及び眼科検査装置９のいずれか一方又は双方を含んでもよい。また、第２装置は、内部検者端末３及び眼科検査装置２のいずれか一方又は双方を含んでもよい。
【０２６９】
実施形態の眼科システムは、格納手段と、第１制御手段と、第２制御手段と、入力情報送信手段とを含む。
【０２７０】
格納手段は、被評価者を評価するための試験に用いられる試験データを予め格納する。例示的な眼科システム１においては、管理装置４に設けられた試験データ格納部４４が格納手段に相当する。
【０２７１】
第１制御手段は、格納手段に格納された試験データに基づいて、被評価者が使用する第１装置を制御する。例示的な眼科システム１においては、管理装置４に設けられた装置制御部４３２、内部検者端末３に設けられた制御部３０、及び、装置制御部４３２と制御部３０との組み合わせのいずれかが、第１制御手段に相当する。また、眼科検査装置２の制御部２０が第１制御手段に含まれてもよい。
【０２７２】
第２制御手段は、格納手段に格納された試験データに基づいて、評価者が使用する第２装置を制御する。例示的な眼科システム１においては、管理装置４に設けられた装置制御部４３２、外部検者端末５に設けられた制御部５０、及び、装置制御部４３２と制御部５０との組み合わせのいずれかが、第２制御手段に相当する。また、眼科検査装置９の制御部９０が第２制御手段に含まれてもよい。
【０２７３】
入力情報送信手段は、試験データに基づき第１装置が被評価者に提供した提供情報への応答として被評価者が第１装置に入力した入力情報を、評価者が使用する第２装置に送信する。例示的な眼科システム１においては、管理装置４に設けられた通信制御部４３３（及び通信部４２）が、入力情報送信手段に相当する。通信制御部４３３は、試験データに基づき内部検者端末３が出力した情報への応答として被評価者が内部検者端末３に入力した入力情報を、外部検者端末５に送信することができる。また、通信制御部４３３は、試験データに基づき内部検者端末３が出力した情報への応答として被評価者が眼科検査装置２に行った操作を表す入力情報（操作内容情報）を、外部検者端末５に送信することができる。また、通信制御部４３３は、試験データに基づき内部検者端末３が出力した情報への応答として被評価者が眼科検査装置２に行った操作を表す入力情報（操作内容情報）を、眼科検査装置９に送信することができる。また、試験データに基づき内部検者端末３が出力した情報への応答として被評価者が内部検者端末３に入力した入力情報を、眼科検査装置９に送信することができる。
【０２７４】
更に、第２制御手段は、入力情報送信手段により第２装置に送信された入力情報に基づいて、第２装置を制御することができる。例示的な眼科システム１においては、装置制御部４３２及び／又は制御部５０は、入力情報に基づく情報を表示装置５２１及び／又は音声出力装置５２３に出力させることができる。また、装置制御部４３２及び／又は制御部９０は、入力情報に基づいて眼科検査装置９を動作させることができる。
【０２７５】
このような実施形態によれば、遠隔検査を実施することが可能な眼科システムにおいて、複数の検者端末が様々な場所に分散的に配置されている場合であっても、検者の能力や癖を評価して検査品質の担保・向上を図ることができる。
【０２７６】
実施形態に係る眼科システムは、格納手段に格納された試験データと被評価者が第１装置に入力した入力情報とに基づいて評価データを生成する評価データ生成手段を含んでいてよい。例示的な眼科システム１においては、管理装置４に設けられた評価データ生成部４３４が、評価データ生成手段に相当する。
【０２７７】
このような実施形態によれば、検者の能力や癖の評価を自動で行うことができる。
【０２７８】
実施形態に係る眼科システムにおいて、第２装置は、表示部と、表示制御部と、操作部と、評価データ記録部とを含んでいてよい。表示制御部は、格納手段に格納された試験データ及びこの試験データに基づき第１装置が被評価者に提供した提供情報の少なくとも一方と、被評価者が第１装置に入力した入力情報とを、表示部に表示させる。評価データ記録部は、操作部を用いて評価者が入力した評価データを記録する。例示的な眼科システム１においては、外部検者端末５に設けられた表示装置５２１が表示部に相当し、出力制御部５０１が表示制御部に相当し、操作装置５２２が操作部に相当し、評価データ記録部５０２が評価データ記録部に相当する。
【０２７９】
このような実施形態によれば、検者の能力や癖の評価を評価者が行うことができる。
【０２８０】
実施形態に係る眼科システムは、記憶装置と、格納制御手段とを含んでいてよい。格納制御手段は、予め設定された被評価者の識別情報に評価データを関連付けて記憶装置に格納する。例示的な眼科システム１においては、管理装置４に設けられた評価データ格納部４５が記憶装置に相当し、格納制御部４３５が格納制御手段に相当する。
【０２８１】
このような実施形態によれば、評価データを被評価者ごとに管理することができる。
【０２８２】
なお、検者のグループが設定されている場合、評価データをグループごとに管理することができる。例えば、経験年数や熟練度合に応じてグループ分けをしたり、検査種別に応じてグループ分けをしたりすることによって、試験や評価の効率化を図ることや、評価結果の比較を容易化することが可能となる。
【０２８３】
実施形態に係る眼科システムにおいて、格納制御手段は、被評価者が第１装置に入力した入力情報を被評価者の識別情報に関連付けて記憶装置に格納するように構成されていてよい。
【０２８４】
例示的な眼科システム１においては、格納制御部４３５は、次のいずれかの情報を、被評価者の識別情報に関連付けて評価データ格納部４５に格納することができる：ステップＳ２２で選択された試験データ；ステップＳ２４で外部検者端末５から管理装置４に入力された質問等；ステップＳ２６で内部検者端末３から管理装置４に入力された回答（入力情報）；ステップＳ２６で眼科検査装置２から管理装置４に入力された操作内容情報（入力情報）。
【０２８５】
このような実施形態によれば、評価データだけでなく、この評価データを得るために参照された情報も管理することができる。
【０２８６】
実施形態に係る眼科システムは、受信手段と、検索手段と、評価データ送信手段とを含んでいてよい。受信手段は、評価データの閲覧要求を受信する。検索手段は、受信手段により受信された閲覧要求に基づいて、記憶装置から評価データを検索する。評価データ送信手段は、検索手段が記憶装置から検索した評価データを、閲覧要求の送信元に送信する。例示的な眼科システム１においては、管理装置４に設けられた通信部４２が受信手段に相当し、検索部４３６が検索手段に相当する。また、通信制御部４３３及び通信部４２の組み合わせ、又は、制御部４０及び通信部４２の組み合わせが、評価データ送信手段に相当する。
【０２８７】
このような実施形態によれば、記憶装置に格納されている評価データを閲覧することができる。したがって、試験結果や評価結果を検討したり、評価者の評価を行ったりすることができる。評価データを得るために参照された情報も記憶装置に格納されている場合には、このような付帯的情報を閲覧することも可能である。
【０２８８】
実施形態に係る眼科システムにおいて、第１装置は第１眼科検査装置を含んでいてよい。この場合、第１制御手段は、格納手段に格納された試験データに基づいて第１眼科検査装置を制御することができる。例示的な眼科システム１においては、眼科検査装置２が第１眼科検査装置に相当する。
【０２８９】
このような実施形態によれば、検査において使用される第１眼科検査装置を実際に操作しながら試験や評価を行うことができる。それにより、あたかも実際の検査を行っているように試験や評価を行うことができ、評価の確度・精度の向上を図ることが可能となる。
【０２９０】
実施形態に係る眼科システムにおいて、第２装置は第２眼科検査装置を含んでいてよい。この場合、第２制御手段は、格納手段に格納された試験データに基づいて第２眼科検査装置を制御することができる。例示的な眼科システム１においては、眼科検査装置９が第２眼科検査装置に相当する。
【０２９１】
このような実施形態によれば、評価者は、被評価者が眼科検査装置をどのように操作しているか、また、被評価者が検査をどのように行っているかを、容易に把握することができる。
【０２９２】
実施形態に係る眼科システムにおいて、第１装置は第１眼科検査装置を含み、且つ、第２装置は第２眼科検査装置を含んでいてよい。この場合、第１制御手段は、格納手段に格納された試験データに基づいて第１眼科検査装置を制御し、且つ、第２制御手段は、この試験データに基づいて第２眼科検査装置を制御することができる。更に、眼科システムは、第１制御手段による第１眼科検査装置の制御と第２制御手段による第２眼科検査装置の制御とを同期させる同期制御手段を含んでいてよい。
【０２９３】
例示的な眼科システム１においては、装置制御部４３２が同期制御手段に相当する。装置制御部４３２は、被評価者が眼科検査装置２を操作したときに、これと同じ動作（又は類似の動作）を眼科検査装置９に実行させることができる。例えば、ピンホール板を光路に挿入する操作を被評価者が眼科検査装置２に対して行うと、評価者側の眼科検査装置９においてもピンホール板が光路に挿入される。
【０２９４】
このような実施形態によれば、評価者は、被評価者が第１眼科検査装置に対して行った操作を、自身の手元にある第２眼科検査装置で確認することができる。
【０２９５】
実施形態に係る眼科システムは、眼科検査により取得された検査データに基づいて試験データを作成する試験データ作成手段を含んでいてよい。例示的な眼科システム１においては、試験データ作成部４３１が試験データ作成手段に相当する。前述したように、試験データ作成手段による試験データの作成は、自動でもよいし、半自動でもよい。
【０２９６】
このような実施形態によれば、試験データを自動（又は半自動）で作成することが可能である。
【０２９７】
以上に説明した実施形態は本発明の典型的な例示に過ぎない。よって、本発明の要旨の範囲内における任意の変形（省略、置換、付加等）を適宜に施すことが可能である。
【符号の説明】
【０２９８】
１  眼科システム
２  眼科検査装置
２１  検査部
２０  制御部
２４  通信部
３  内部検者端末
３０  制御部
３０１  出力制御部
３１  ユーザインターフェイス部
３３  通信部
４  管理装置
４０  制御部
４１  通信確立部
４２  通信部
４３  評価処理部
４３１  試験データ作成部
４３２  装置制御部
４３３  通信制御部
４３４  評価データ生成部
４３５  格納制御部
４３６  検索部
４４  試験データ格納部
４５  評価データ格納部
５  外部検者端末
５０  制御部
５０１  出力制御部
５０２  評価データ記録部
５２  ユーザインターフェイス部
５４  通信部
９  眼科検査装置
９０  制御部
９３  通信部
１０００  画面
【図１Ａ】
2018158057.tif 000003
【図１Ｂ】
2018158057.tif 000004
【図２】
2018158057.tif 000005
【図３】
2018158057.tif 000006
【図４】
2018158057.tif 000007
【図５】
2018158057.tif 000008
【図６】
2018158057.tif 000009
【図７】
2018158057.tif 000010
【図８Ａ】
2018158057.tif 000011
【図８Ｂ】
2018158057.tif 000012
【図９】
2018158057.tif 000013
【図１０】
2018158057.tif 000014
【図１１Ａ】
2018158057.tif 000015
【図１１Ｂ】
2018158057.tif 000016
【図１２Ａ】
2018158057.tif 000017
【図１２Ｂ】
2018158057.tif 000018
【図１２Ｃ】
2018158057.tif 000019
【図１３】
2018158057.tif 000020
【図１４】
2018158057.tif 000021